(57)【要約】【課題】各種の機器の収納、搬送及び設置に有用な機器収納用ラックを提供する。【解決手段】このラックＲ１は、ラック本体Ａ、正面、背面の蓋Ｂ１、Ｂ２とからなり、ラック本体Ａは、各コーナーフレーム１が傾斜面形状のコーナー中央部、幅方向延長部、高さ方向延長部、及び奥行方向延長部を有し、各奥行フレーム３の外側の面に溝３１が形成されて、各コーナーフレーム１及び各奥行フレーム３により、ラック本体Ａ全体が断面略８角形に構成され、各奥行フレームＡの外側の面に、各種の付属部品が、固定部材、取付部材及びねじで締め付ける形式の取付部品３Ｐにより着脱可能に取り付けられる。【選択図】図１
2014075497.tif 000002
【特許請求の範囲】
【請求項１】
正面、背面に開口を有し、全体が箱形に構成されるラック本体と、前記ラック本体の正面、背面の各開口を開閉する正面、背面の蓋とを備え、各種の機器を収納する機器収納用ラックにおいて、
前記ラック本体は、
正面側及び背面側の各コーナーをなすコーナーフレームと、
正面側及び背面側の前記各コーナーフレーム間に連結されて、前記各コーナーフレームとともに正面側及び背面側の各枠を構成する枠構成フレームと、
正面側の前記各コーナーフレームと背面側の前記各コーナーフレーム間に連結されて、正面側及び背面側の各枠間を繋ぐ奥行フレームと、
前記各コーナーフレーム、前記各枠構成フレーム及び前記各奥行フレームにより囲まれた面内に取り付けられて、上下左右の各面をなすパネルと、
を備え、
前記各コーナーフレームは、正面側及び背面側の各コーナーを傾斜面とする傾斜面形状のコーナー中央部と、前記コーナー中央部の一端から箱形の幅方向に延び、前記枠構成フレームと連結される幅方向延長部、前記コーナー中央部の他端から箱形の高さ方向に延び、前記枠構成フレームと連結される高さ方向延長部、及び前記コーナー中央部の奥行側縁部から奥行方向に延び、前記奥行フレームと連結される奥行方向延長部を有し、
前記各奥行フレームは、外側の面の両側部に沿ってそれぞれ内方に向けて断面略Ｌ字形に突出するフランジが設けられて、外側の面に溝が形成され、
前記各コーナーフレーム及び前記各奥行フレームにより、前記ラック本体全体が断面略８角形に構成されて、
前記各奥行フレームの外側の面に、各種の付属部品が、前記各フランジの内面間に係合可能な固定部材と、各種の付属部品に一体的に設けられ、前記各フランジの外面間に跨って設置可能な取付部材とをそれぞれ前記各フランジに圧接可能にねじで締め付ける形式の取付部品により着脱可能に取り付けられる、
ことを特徴とする機器収納用ラック。
【請求項２】
取付部品は、奥行フレームの外側の面の各フランジ間の開口幅より小さい幅で、かつ前記各フランジ間の開口幅より大きく前記溝の底部側の幅と略同じか少し小さい長さを有し、前記各フランジの内面間に係脱可能な平板に形成され、当該平板の長さ方向の中間部で前記フランジの開口に対向する位置に表側の平面から裏側の平面に向けて貫通するねじ穴を有する固定部材と、前記各種の付属部品側に一体的に、前記奥行フレームの前記各フランジの外面間に跨って設置可能な各種の形状に形成され、当該各種の形状の前記フランジ間の開口に対向する位置に前記固定部材のねじ穴に対応して表側から裏側に向けて貫通するねじ穴を有する取付部材と、前記取付部材のねじ穴から前記各フランジ間の開口を通して前記固定部材のねじ穴に貫通して螺合されるねじとを備え、前記固定部材の幅方向を前記奥行フレームの前記各フランジ間に合わせ、前記固定部材を前記各フランジ間の開口を通して、前記溝の底面側へ挿入した後、前記固定部材を回転し、前記固定部材の長さ方向を前記溝の幅方向に向けて前記各フランジの内面に係合可能に配置し、この状態で、前記取付部材を前記奥行フレームの前記各フランジの外面間に跨って設置し、前記取付部材及び前記固定部材の前記各ねじ穴間に前記各フランジ間の開口を通して前記ねじを挿通し締め込むことにより、前記固定部材と前記取付部材をそれぞれ、前記各フランジに内側及び外側から圧接させて、前記各種の付属部品を前記奥行フレームの外側の面上に固定する形式に構成される請求項１に記載の機器収納用ラック。
【請求項３】
下面側の各奥行フレームの外側の面に取り付けられる付属部品として脚を備え、前記脚に取付部材が一体的に形成され、前記脚は、取付部材、固定部材及びねじを介して前記下面側の奥行フレームの外側の面に固定されて取り付けられる請求項１又は２に記載の機器収納用ラック。
【請求項４】
脚は、下面側の奥行フレームから当該下面側の奥行フレームの側方に突出することなしに下方に向けて延びる脚部本体と、前記脚部本体の上面側に形成され、下面側の奥行フレームを支持可能な斜めのフレーム支持部、及びこのフレーム支持部の下端から水平方向に向けて延び、下面のパネルの縁部付近を支持可能なパネル支持部と、前記脚部本体の内側で前記パネル支持部と前記脚部本体の下部との間に形成され、上面側の奥行フレームに当接可能な斜めのフレーム係合部とを有する請求項３に記載の機器収納用ラック。
【請求項５】
上面側の奥行フレームの外側の面に取り付けられる付属部品として取っ手を備え、前記取っ手は、略コ字形又は略Ｕ字形をなし、両端に取付軸を有する取っ手本体と、前記上面側の奥行フレームの側方に突出することなしに当該奥行フレーム上に設置可能に形成され、前記取っ手本体の各取付軸を軸支する一対の取っ手台座とを備え、前記取っ手台座に取付部材が一体的に形成され、前記取っ手台座は、取付部材、固定部材及びねじを介して前記上面側の奥行フレームの外側の面に固定されて取り付けられる請求項１乃至４のいずれかに記載の機器収納用ラック。
【請求項６】
取っ手の一方の取付軸は他方の取付軸に対して所定の角度を付け偏芯されて、取っ手台座に軸支される請求項５に記載の機器収納用ラック。
【請求項７】
上下に積み重ねられる複数のラック間を固定するためのロック装置を備え、前記ロック装置は、ラックが上下に積み重ねられた状態において、上面側の各奥行フレーム又は下面側の各奥行フレームのいずれか一方の外側の面に所定の間隔をあけて取り付けられる少なくとも２つの固定側ロック部材、及び前記２つの固定側ロック部材のうちの一方の固定側ロック部材で他方の固定側ロック部材に対向する面に形成される係合凹部又は係止凸部と、他方の外側の面に前記一方の外側の面の前記２つの固定側ロック部材の間で前記一方の固定側ロック部材に連接可能に取り付けられる作動側ロック部材、前記作動側ロック部材の前記一方の固定側ロック部材に対向する面に形成され、前記一方の固定側ロック部材の前記係合凹部又は係止凸部に係合可能な係止凸部又は係止凹部、及び前記作動側ロック部材の前記他方の固定側ロック部材に対向する面に垂直方向に回動可能に取り付けられ、前記作動側ロック部材と前記他方の固定側ロック部材との間に係脱可能なロックレバーとにより構成される請求項１乃至６のいずれかに記載の機器収納用ラック。
【請求項８】
各コーナーフレームの幅方向延長部と枠構成フレーム、高さ方向延長部と枠構成フレーム、奥行方向延長部と各奥行フレームはそれぞれ、スプリングピン、取付ねじ及びナットを介して連結される請求項１乃至７のいずれかに記載の機器収納用ラック。
【請求項９】
ラック本体は２重構造をなし、前記ラック本体内部に各種の機器を収容するためのインナーフレームを備え、前記インナーフレームは前記ラック本体内部に防振ゴムを介して設置された支持フレームに弾性的に支持される請求項１乃至８のいずれかに記載の機器収納用ラック。
【請求項１０】
正面、背面の蓋はそれぞれ、正面、背面の各コーナーをなす蓋コーナーフレームと、前記各蓋コーナーフレーム間に連結されて、前記各蓋コーナーフレームとともに正面、背面の蓋の枠を構成する蓋枠構成フレームと、前記各蓋コーナーフレーム及び前記各蓋枠構成フレームにより囲まれた面内に取り付けられて、正面、背面の蓋の面をなす蓋パネルと、正面、背面の蓋の前記蓋枠構成フレームに装着され、正面、背面の蓋とラック本体とを固定する蓋ロック部材とを備え、前記蓋コーナーフレームは、蓋の各コーナーを傾斜面とする傾斜面形状のコーナー中央部、前記コーナー中央部の一端から蓋の幅方向に延び、前記蓋枠構成フレームと連結される幅方向延長部、前記コーナー中央部の他端から蓋の高さ方向に延び、前記蓋枠構成フレームと連結される高さ方向延長部を有し、全体が前記ラック本体に対応する断面略８角形に構成される請求項１乃至９のいずれかに記載の機器収納用ラック。
【請求項１１】
各蓋コーナーフレームの幅方向延長部と蓋枠構成フレーム、高さ方向延長部と蓋枠構成フレームはそれぞれ、スプリングピン、取付ねじ及びナットを介して連結される請求項１０に記載の機器収納用ラック。
【請求項１２】
蓋ロック部材は、外側の円筒部と、前記外側の円筒部内に回転可能に嵌挿される内側の円筒部、及び前記内側の円筒部の基端部に当該円筒部の軸方向に対して直角方向に回動可能に取り付けられ、前記外側の円筒部内で前記内側の円筒部を回転操作するためのハンドルと、前記内側の円筒部内に回転可能にかつ進退可能に挿通され、前記外側及び内側の各円筒部の先端から突出する駆動軸、及び前記駆動軸の先端側に当該軸方向に対して直角方向に向けて突設され、ラック本体側の所定の被係合部に係止可能な係止部と、前記外側の円筒部及び前記内側の円筒部と前記駆動軸との間に形成され、前記内側の円筒部の一方向の回転運動により、前記駆動軸を前記内側の円筒部の回転方向に所定の角度だけ回転案内し、前記駆動軸が当該回転方向に所定の角度だけ回転した地点で前記駆動軸を前記内側の円筒部の軸上を後退方向に移動案内し、前記内側の円筒部の他方向の回転運動により、前記駆動軸を前記内側の円筒部の軸上を前進方向に移動案内し、前記駆動軸が前記内側の円筒部内を所定の距離だけ前進移動した地点で前記駆動軸を前記内側の円筒部の回転方向に所定の角度だけ回転案内するガイド機構とを備え、前記外側の円筒部が前記蓋枠構成フレームに挿着され、前記ハンドルの一方向の回転操作により、前記係止部を前記ラック本体側の所定の被係合部に対して係合し、前記枠構成フレームと前記蓋枠構成フレームとを相互に引き寄せる方向に圧接した状態にロックし、前記ハンドルの他方向の回転操作により、前記係止部の前記ラック本体側の所定の被係合部に対する係合を解除する請求項１０又は１１に記載の機器収納用ラック。
【請求項１３】
ラック移動用のラック専用台車を備え、前記ラック専用台車は、正面側及び背面側の各コーナーをなすコーナーフレームと、正面側及び背面側の前記各コーナーフレーム間に連結されて、前記各コーナーフレームとともに正面側及び背面側の各枠を構成する枠構成フレームと、正面側の前記各コーナーフレームと背面側の前記各コーナーフレーム間に連結されて、正面側及び背面側の各枠間を繋ぐ奥行フレームとを有する、ラックを載せるための台フレームと、前記台フレーム内の各コーナーにヒンジ部材を介して垂直方向に回動可能に取り付けられる支持部材と、前記各支持部材の回動端に軸受を介して軸支される車輪と、前記台フレーム内に設置され、前記各支持部材を水平位置で回動を規制し、前記各車輪を前記台フレーム内に収納案内する水平方向ガイド、及び前記各支持部材を垂直位置で回動を規制し、前記各車輪を前記台フレームの下方に突出案内する垂直方向ガイドと、前記各支持部材を垂直位置で前記垂直方向ガイドに固定し、水平位置で前記水平方向ガイドに固定するストッパーとを備え、前記車輪は前記台フレームの下方に突出されて転動可能に、また、前記第フレーム内に折り畳まれて収納可能に構成される請求項１乃至１２のいずれかに記載の機器収納用ラック。
【請求項１４】
前記各コーナーフレームは、正面側及び背面側の各コーナーを傾斜面とする傾斜面形状のコーナー中央部、前記コーナー中央部の一端から幅方向に延び、前記枠構成フレームと連結される幅方向延長部、前記コーナー中央部の他端から高さ方向に延び、前記枠構成フレームと連結される高さ方向延長部、及び前記コーナー中央部の奥行側縁部から奥行方向に延び、前記奥行フレームと連結される奥行方向延長部を有し、前記各奥行フレームはラックの奥行フレームと共通で、前記各コーナーフレーム及び前記各奥行フレームにより、前記台フレーム全体が断面略８角形に構成されて、前記各奥行フレームの外側の面に、ラックと共通の各種の付属部品が、ラックと共通の固定部材、取付部材及びねじからなる取付部品により着脱可能に取り付けられる請求項１３に記載の機器収納用ラック。
【請求項１５】
ラック専用台車の台フレームに平板を収納可能なスペースを備え、当該スペースに平板状のラック載置用のプレートが収納される請求項１３又は１４に記載の機器収納用ラック。
【発明の詳細な説明】
【技術分野】
【０００１】
本発明は、コンピュータ、通信機器、電気機器など各種の機器を収納するのに使用する機器収納用ラックに関し、特に、屋内、屋外を問わず、各種の機器の収納、搬送及び設置に有用な機器収納用ラックに関する。
【背景技術】
【０００２】
一般に、この種の機器収納用ラックとして、キャビネット型のラックと、ボックス型のラックが知られている。
キャビネット型のラックは、底板と天板が支柱で連結されて、左右両側面と背面にパネルが着脱可能に装着されるとともに、底板と天板との間に複数の台板が配設され、正面は扉が開閉自在に取り付けられて、全体が縦長のキャビネットとして構成される。このようにしてラックにコンピュータや通信機器、電気機器などが多段的に収納されるようになっている（例えば特許文献１参照）。
ボックス型のラックは、天面パネル、底面パネル、左右両側面パネル、背面パネルがそれぞれ端部を突合せられて溶接又はねじ止めにより固定され、正面に扉が開閉可能に取り付けられて、全体がボックス型に構成される。このようにしてラックにコンピュータや通信機器、電気機器などが収納されるようになっている（例えば特許文献２参照）。
【先行技術文献】
【特許文献】
【０００３】
【特許文献１】特開２００５−  １９８５７公報
【特許文献２】特開２００３−２１８５６１公報
【発明の概要】
【発明が解決しようとする課題】
【０００４】
しかしながら、上記従来の機器収納用ラックでは、次のような問題がある。
（１）キャビネット型のラックの場合、一つのラックに複数の機器が多段的に収納されるため、これらの機器を屋内で移動したり屋外へ移動したりしようとすると、各機器をラックに収納した状態でラックごと搬送、設置することが難しい。また、同じ設置場所でも、これらの機器を一つのシステムとしてより使いやすいレイアウトに組み立てし直したり機器の変更又は追加により全体又は一部の機器のレイアウトを変更したりしようとすると、ラックから各機器を出し入れする必要があり、また、各機器に応じて台板の位置を変える必要があり、作業が煩雑となり容易ではない。
（２）ボックス型のラックの場合、キャビネット型のラックに比べて、全体の大きさが小さいため、これらの機器を屋内で移動したり屋外へ移動したりしようとすると、各種の機器をラックに収納した状態でラックごと搬送、設置することができるが、このラックの場合、複数のパネルを単に端部同士を付き合わせて溶接又はねじ固定しているだけなので、強度的な問題があり、例えば、ラックの搬送の際に、複数のラックを車両などに積み重ねて搭載すると、下のラックは上のラックの重みで変形し、ラック内の機器が損傷する恐れかある。また、これら各種の機器を収納したラックを所定の設置場所に所要のレイアウトで積み上げようとすると、同様に、下のラックは上のラックの重みで変形し、ラック内の機器が損傷する恐れかあるため、各種の機器をラックごと自由なレイアウトで段積み配置することができない。
【０００５】
本発明は、このような従来の問題を解決するもので、屋内、屋外を問わず、コンピュータ、通信機器、電気機器など各種の機器の収納、搬送及び設置に有用な機器収納用ラックを提供すること、を目的とする。
【課題を解決するための手段】
【０００６】
上記目的を達成するために、本発明は、正面、背面に開口を有し、全体が箱形に構成されるラック本体と、前記ラック本体の正面、背面の各開口を開閉する正面、背面の蓋とを備え、各種の機器を収納する機器収納用ラックにおいて、前記ラック本体は、正面側及び背面側の各コーナーをなすコーナーフレームと、正面側及び背面側の前記各コーナーフレーム間に連結されて、前記各コーナーフレームとともに正面側及び背面側の各枠を構成する枠構成フレームと、正面側の前記各コーナーフレームと背面側の前記各コーナーフレーム間に連結されて、正面側及び背面側の各枠間を繋ぐ奥行フレームと、前記各コーナーフレーム、前記各枠構成フレーム及び前記各奥行フレームにより囲まれた面内に取り付けられて、上下左右の各面をなすパネルと、を備え、前記各コーナーフレームは、正面側及び背面側の各コーナーを傾斜面とする傾斜面形状のコーナー中央部と、前記コーナー中央部の一端から箱形の幅方向に延び、前記枠構成フレームと連結される幅方向延長部、前記コーナー中央部の他端から箱形の高さ方向に延び、前記枠構成フレームと連結される高さ方向延長部、及び前記コーナー中央部の奥行側縁部から奥行方向に延び、前記奥行フレームと連結される奥行方向延長部を有し、前記各奥行フレームは、外側の面の両側部に沿ってそれぞれ内方に向けて断面略Ｌ字形に突出するフランジが設けられて、外側の面に溝が形成され、前記各コーナーフレーム及び前記各奥行フレームにより、前記ラック本体全体が断面略８角形に構成されて、前記各奥行フレームの外側の面に、各種の付属部品が、前記各フランジの内面間に係合可能な固定部材と、各種の付属部品に一体的に設けられ、前記各フランジの外面間に跨って設置可能な取付部材とをそれぞれ前記各フランジに圧接可能にねじで締め付ける形式の取付部品により着脱可能に取り付けられる、ことを要旨とする。
【０００７】
このラックはまた、各部に次のような構成を備えることが好ましい。
（１）取付部品は、奥行フレームの外側の面の各フランジ間の開口幅より小さい幅で、かつ前記各フランジ間の開口幅より大きく前記溝の底部側の幅と略同じか少し小さい長さを有し、前記各フランジの内面間に係脱可能な平板に形成され、当該平板の長さ方向の中間部で前記フランジの開口に対向する位置に表側の平面から裏側の平面に向けて貫通するねじ穴を有する固定部材と、前記各種の付属部品側に一体的に、前記奥行フレームの前記各フランジの外面間に跨って設置可能な各種の形状に形成され、当該各種の形状の前記フランジ間の開口に対向する位置に前記固定部材のねじ穴に対応して表側から裏側に向けて貫通するねじ穴を有する取付部材と、前記取付部材のねじ穴から前記各フランジ間の開口を通して前記固定部材のねじ穴に貫通して螺合されるねじとを備え、前記固定部材の幅方向を前記奥行フレームの前記各フランジ間に合わせ、前記固定部材を前記各フランジ間の開口を通して、前記溝の底面側へ挿入した後、前記固定部材を回転し、前記固定部材の長さ方向を前記溝の幅方向に向けて前記各フランジの内面に係合可能に配置し、この状態で、前記取付部材を前記奥行フレームの前記各フランジの外面間に跨って設置し、前記取付部材及び前記固定部材の前記各ねじ穴間に前記各フランジ間の開口を通して前記ねじを挿通し締め込むことにより、前記固定部材と前記取付部材をそれぞれ、前記各フランジに内側及び外側から圧接させて、前記各種の付属部品を前記奥行フレームの外側の面上に固定する形式に構成される。
（２）下面側の各奥行フレームの外側の面に取り付けられる付属部品として脚を備え、前記脚に取付部材が一体的に形成され、前記脚は、取付部材、固定部材及びねじを介して前記下面側の奥行フレームの外側の面に固定されて取り付けられる。
この場合、脚は、下面側の奥行フレームから当該下面側の奥行フレームの側方に突出することなしに下方に向けて延びる脚部本体と、前記脚部本体の上面側に形成され、下面側の奥行フレームを支持可能な斜めのフレーム支持部、及びこのフレーム支持部の下端から水平方向に向けて延び、下面のパネルの縁部付近を支持可能なパネル支持部と、前記脚部本体の内側で前記パネル支持部と前記脚部本体の下部との間に形成され、上面側の奥行フレームに当接可能な斜めのフレーム係合部とを有することが好ましい。
（３）上面側の奥行フレームの外側の面に取り付けられる付属部品として取っ手を備え、前記取っ手は、略コ字形又は略Ｕ字形をなし、両端に取付軸を有する取っ手本体と、前記上面側の奥行フレームの側方に突出することなしに当該奥行フレーム上に設置可能に形成され、前記取っ手本体の各取付軸を軸支する一対の取っ手台座とを備え、前記取っ手台座に取付部材が一体的に形成され、前記取っ手台座は、取付部材、固定部材及びねじを介して前記上面側の奥行フレームの外側の面に固定されて取り付けられる。
この場合、取っ手の一方の取付軸は他方の取付軸に対して所定の角度を付け偏芯されて、取っ手台座に軸支されることが好ましい。
（４）上下に積み重ねられる複数のラック間を固定するためのロック装置を備え、前記ロック装置は、ラックが上下に積み重ねられた状態において、上面側の各奥行フレーム又は下面側の各奥行フレームのいずれか一方の外側の面に所定の間隔をあけて取り付けられる少なくとも２つの固定側ロック部材、及び前記２つの固定側ロック部材のうちの一方の固定側ロック部材で他方の固定側ロック部材に対向する面に形成される係合凹部又は係止凸部と、他方の外側の面に前記一方の外側の面の前記２つの固定側ロック部材の間で前記一方の固定側ロック部材に連接可能に取り付けられる作動側ロック部材、前記作動側ロック部材の前記一方の固定側ロック部材に対向する面に形成され、前記一方の固定側ロック部材の前記係合凹部又は係止凸部に係合可能な係止凸部又は係止凹部、及び前記作動側ロック部材の前記他方の固定側ロック部材に対向する面に垂直方向に回動可能に取り付けられ、前記作動側ロック部材と前記他方の固定側ロック部材との間に係脱可能なロックレバーとにより構成される。
（５）各コーナーフレームの幅方向延長部と枠構成フレーム、高さ方向延長部と枠構成フレーム、奥行方向延長部と各奥行フレームはそれぞれ、スプリングピン、取付ねじ及びナットを介して連結される。
（６）ラック本体は２重構造をなし、前記ラック本体内部に各種の機器を収容するためのインナーフレームを備え、前記インナーフレームは前記ラック本体内部に防振ゴムを介して設置された支持フレームに弾性的に支持される。
（７）正面、背面の蓋はそれぞれ、正面、背面の各コーナーをなす蓋コーナーフレームと、前記各蓋コーナーフレーム間に連結されて、前記各蓋コーナーフレームとともに正面、背面の蓋の枠を構成する蓋枠構成フレームと、前記各蓋コーナーフレーム及び前記各蓋枠構成フレームにより囲まれた面内に取り付けられて、正面、背面の蓋の面をなす蓋パネルと、正面、背面の蓋の前記蓋枠構成フレームに装着され、正面、背面の蓋とラック本体とを固定する蓋ロック部材とを備え、前記蓋コーナーフレームは、蓋の各コーナーを傾斜面とする傾斜面形状のコーナー中央部、前記コーナー中央部の一端から蓋の幅方向に延び、前記蓋枠構成フレームと連結される幅方向延長部、前記コーナー中央部の他端から蓋の高さ方向に延び、前記蓋枠構成フレームと連結される高さ方向延長部を有し、全体が前記ラック本体に対応する断面略８角形に構成される。
この場合、各蓋コーナーフレームの幅方向延長部と蓋枠構成フレーム、高さ方向延長部と蓋枠構成フレームはそれぞれ、スプリングピン、取付ねじ及びナットを介して連結されることが好ましい。
また、この場合、蓋ロック部材は、外側の円筒部と、前記外側の円筒部内に回転可能に嵌挿される内側の円筒部、及び前記内側の円筒部の基端部に当該円筒部の軸方向に対して直角方向に回動可能に取り付けられ、前記外側の円筒部内で前記内側の円筒部を回転操作するためのハンドルと、前記内側の円筒部内に回転可能にかつ進退可能に挿通され、前記外側及び内側の各円筒部の先端から突出する駆動軸、及び前記駆動軸の先端側に当該軸方向に対して直角方向に向けて突設され、ラック本体側の所定の被係合部に係止可能な係止部と、前記外側の円筒部及び前記内側の円筒部と前記駆動軸との間に形成され、前記内側の円筒部の一方向の回転運動により、前記駆動軸を前記内側の円筒部の回転方向に所定の角度だけ回転案内し、前記駆動軸が当該回転方向に所定の角度だけ回転した地点で前記駆動軸を前記内側の円筒部の軸上を後退方向に移動案内し、前記内側の円筒部の他方向の回転運動により、前記駆動軸を前記内側の円筒部の軸上を前進方向に移動案内し、前記駆動軸が前記内側の円筒部内を所定の距離だけ前進移動した地点で前記駆動軸を前記内側の円筒部の回転方向に所定の角度だけ回転案内するガイド機構とを備え、前記外側の円筒部が前記蓋枠構成フレームに挿着され、前記ハンドルの一方向の回転操作により、前記係止部を前記ラック本体側の所定の被係合部に対して係合し、前記枠構成フレームと前記蓋枠構成フレームとを相互に引き寄せる方向に圧接した状態にロックし、前記ハンドルの他方向の回転操作により、前記係止部の前記ラック本体側の所定の被係合部に対する係合を解除する形式にすることが好ましい。
（８）ラック移動用のラック専用台車を備え、前記ラック専用台車は、正面側及び背面側の各コーナーをなすコーナーフレームと、正面側及び背面側の前記各コーナーフレーム間に連結されて、前記各コーナーフレームとともに正面側及び背面側の各枠を構成する枠構成フレームと、正面側の前記各コーナーフレームと背面側の前記各コーナーフレーム間に連結されて、正面側及び背面側の各枠間を繋ぐ奥行フレームとを有する、ラックを載せるための台フレームと、前記台フレーム内の各コーナーにヒンジ部材を介して垂直方向に回動可能に取り付けられる支持部材と、前記各支持部材の回動端に軸受を介して軸支される車輪と、前記台フレーム内に設置され、前記各支持部材を水平位置で回動を規制し、前記各車輪を前記台フレーム内に収納案内する水平方向ガイド、及び前記各支持部材を垂直位置で回動を規制し、前記各車輪を前記台フレームの下方に突出案内する垂直方向ガイドと、前記各支持部材を垂直位置で前記垂直方向ガイドに固定し、水平位置で前記水平方向ガイドに固定するストッパーとを備え、前記車輪は前記台フレームの下方に突出されて転動可能に、また、前記第フレーム内に折り畳まれて収納可能に構成される。
この場合、前記各コーナーフレームは、正面側及び背面側の各コーナーを傾斜面とする傾斜面形状のコーナー中央部、前記コーナー中央部の一端から幅方向に延び、前記枠構成フレームと連結される幅方向延長部、前記コーナー中央部の他端から高さ方向に延び、前記枠構成フレームと連結される高さ方向延長部、及び前記コーナー中央部の奥行側縁部から奥行方向に延び、前記奥行フレームと連結される奥行方向延長部を有し、前記各奥行フレームはラックの奥行フレームと共通で、前記各コーナーフレーム及び前記各奥行フレームにより、前記台フレーム全体が断面略８角形に構成されて、前記各奥行フレームの外側の面に、ラックと共通の各種の付属部品が、ラックと共通の固定部材、取付部材及びねじからなる取付部品により着脱可能に取り付けられることが好ましい。
また、この場合、ラック専用台車の台フレームに平板を収納可能なスペースを備え、当該スペースに平板状のラック載置用のプレートが収納されることが好ましい。
【発明の効果】
【０００８】
本発明の機器収納用ラックによれば、上記の構成により、ラック全体をボックス型のラックとして構成したので、キャビネット型のラックに比べて、全体の大きさを小さくすることができ、コンピュータ、通信機器、電気機器など各種の機器を屋内で移動したり屋外へ移動したりしようとする場合に、各種の機器をこのラックに収納した状態でラックごと搬送、設置することができる。
特に、このラックでは、各コーナーフレームが、箱形の各コーナーを傾斜面とするコーナー中央部、コーナー中央部の一端から箱形の幅方向に延び、枠構成フレームと連結される幅方向延長部、コーナー中央部の他端から箱形の高さ方向に延び、枠構成フレームと連結される高さ方向延長部、及びコーナー中央部の奥行側縁部から奥行方向に延び、奥行フレームと連結される奥行方向延長部を有し、これらコーナーフレームのコーナー中央部と、正面側の各コーナーフレームのコーナー中央部と背面側の各コーナーフレームのコーナー中央部との間に連結される各奥行フレームにより、箱形全体が断面略８角形に構成されるので、複数のラックを一列に又は複列に並べたり多段的に積み重ねたりする場合に、隣り合う各ラック間の隙間が小さくて済み、このため、各ラックが隣接しやすく、複数のラックを並べる場合でも積み重ねる場合でも作業を容易に行うことができる。
また、このラックは、各コーナーフレーム、各枠構成フレーム、各奥行フレーム、各パネル、各蓋コーナーフレーム、各蓋枠構成フレーム、各蓋パネルが例えばアルミニウム材料（アルミニウム合金）により形成されることが好ましく、このようにすることにより、ラック全体に軽量で、十分な強度を持たせることができる。そして、このラックの場合、各コーナーフレームの幅方向延長部と枠構成フレーム、高さ方向延長部と枠構成フレーム、奥行方向延長部と奥行フレームがそれぞれ、スプリングピン、取付ねじ及びナットを介して連結されるので、ラックに大きな衝撃が加えられた場合でも、ラック全体の変形を防止することができる。したがって、ラックの搬送の際に、複数のラックを車両や航空機などの輸送手段に積み重ねて搭載しても、下方のラックが上のラックの重みで変形してラック内の機器を損傷させる恐れがなく、また、これら各種の機器を収納したラックを所定の設置場所に所要のレイアウトで積み上げても、同様に、下のラックが上のラックの重みで変形してラック内の機器を損傷させる恐れもなく、各種の機器をラックごと自由なレイアウトで安定的に確実に段積み配置することができる。
このようにこのラックでは各種の機器を収納して自由なレイアウトで多段的に積み重ねることができるので、キャビネット型のラックとして利用することができるとともに、これらの機器を屋内で移動したり屋外へ移動したりするような場合でも、各機器をラックに収納した状態でラックごと容易に搬送、設置することができる。また、同一の設置場所においても、これらの機器を一つのシステムとしてより使いやすいレイアウトに組み立てし直したり機器の変更又は追加により全体又は一部の機器のレイアウトを変更したりしようとする場合に、各機器をラック毎出し入れして、所望のレイアウトを容易に作ることができる。
また、このラックでは、各コーナーの斜めの奥行フレームの外側の面にこの面の両側部に沿ってそれぞれ内方に向けて断面略Ｌ字形に突出するフランジが設けられて、外側の面に溝が形成され、この奥行フレームの外側の面に各種の付属部品がねじ式の取付部品により着脱可能に取り付けられるので、取っ手や脚など各種の付属部品を簡易に取り付けることができ、しかも付属部品がラックのパネル面から外側に大きく突出することがないので、ラックの搬送や設置の際に邪魔になることがない。
さらに、このラックの場合、上下に積み重ねられる複数のラック間を固定するためのロック装置を備え、このロック装置は、ラックが上下に積み重ねられた状態において、上面側の各奥行フレーム又は下面側の各奥行フレームのいずれか一方の外側の面に所定の間隔をあけて取り付けられる少なくとも２つの固定側ロック部材、及び２つの固定側ロック部材のうちの一方の固定側ロック部材で他方の固定側ロック部材に対向する面に形成される係合凹部又は係止凸部と、他方の外側の面に一方の外側の面の２つの固定側ロック部材の間で一方の固定側ロック部材に連接可能に取り付けられる作動側ロック部材、作動側ロック部材の一方の固定側ロック部材に対向する面に形成され、一方の固定側ロック部材の係合凹部又は係止凸部に係合可能な係止凸部又は係止凹部、及び作動側ロック部材の他方の固定側ロック部材に対向する面に垂直方向に回動可能に取り付けられ、この作動側ロック部材と他方の固定側ロック部材との間に係脱可能なロックレバーとにより構成されるので、複数のラックを上下に積み重ねる際に、下のラック上で上のラックを少しスライドさせるようにして重ね合わせることで、下のラックの上面側の各奥行フレームの外側の面に取り付けられた一方の固定側ロック部材の係合凹部又は係止凸部と、上のラックの下面側の各奥行フレームの外側の面に取り付けられた作動側のロック部材の係合凸部又は係止凹部が係合し、この状態から、上のラックの下面側の各奥行フレームの外側の面に取り付けられた作動側ロック部材と下のラックの上面側の各奥行フレームの外側の面に取り付けられた他方の固定側ロック部材との間にロックレバーを係合させることで、上下の各ラック間の動きが規制され、上下の各のラック間を確実に固定することができる。なお、このロック装置の場合、各ロック部材に取っ手の取っ手台座や脚など各種の付属部品を利用して構成することができる。
したがって、このラックによれば、屋内、屋外を問わず、コンピュータ、通信機器、電気機器など各種の機器の収納、搬送及び設置を簡単かつ確実に行うことができる。
【図面の簡単な説明】
【０００９】
【図１】本発明の一実施の形態における機器収納用ラックの外部の構成を示す正面図
【図２】同ラックの外部の構成を示す側面図
【図３】同ラックの外部の構成を示す平面図
【図４】同ラックの要部の構成を示す一部拡大分解斜視図
【図５】同ラックの内部の構成を示す正面断面図
【図６】同ラックの内部の構成を示す側面断面図
【図７】同ラックの要部の構成を示す一部拡大断面正面図
【図８】同ラックに使用される蓋ロック部材を示す図
【図９】同ラックに使用される蓋ロック部材の特に外側の円筒部を示す図
【図１０】同ラックに使用される蓋ロック部材の特に内側の円筒部を示す図
【図１１】同ラックに付属する取っ手及び脚がラック本体に取り付けられた状態を示す図
【図１２】同ラックに付属する脚の取付構造を示す図
【図１３】同ラックに付属する取っ手の取付構造を示す図
【図１４】同ラックに付属する脚に設けられるロック装置を示す図
【図１５】同ラックに付属するラック専用台車を示す正面図
【図１６】同ラックのラック専用台車の内部の構成を示し、特に車輪が台フレームの下方に突出された状態を示す側面図
【図１７】同ラックのラック専用台車の内部の構成を示し、特に車輪が台フレームの下方に突出された状態を示す底面図
【図１８】同ラックのラック専用台車の内部の構成を示し、特に車輪が台フレームの内部に折り畳み格納された状態を示す側面図
【図１９】同ラックのラック専用台車の内部の構成を示し、特に車輪が台フレームの内部に折り畳み格納された状態を示す底面図
【図２０】同ラックを複数上下に積み重ねた状態を示す図
【発明を実施するための形態】
【００１０】
次に、この発明を実施するための形態について図を用いて説明する。図１乃至図３に機器収納用ラックの外部の構成を示し、図５及び図６に機器収納用ラックの内部の構成を示している。
図１乃至図３に示すように、機器収納用ラックＲ１は、正面、背面に開口を有し、全体が箱形に構成されるラック本体Ａと、ラック本体Ａの正面、背面の各開口を開閉する正面、背面の蓋Ｂ１、Ｂ２とを備え、コンピュータ、通信機器などの各種の機器を収納するようになっている。
ラック本体Ａは、正面側及び背面側の各コーナーＣをなすアルミニウム材料からなるコーナーフレーム１と、正面側及び背面側の各コーナーフレーム１間に連結されて、各コーナーフレーム１とともに正面側及び背面側の各枠Ｆ１、Ｆ２を構成するアルミニウム材料からなる枠構成フレーム２と、正面側の各コーナーフレーム１と背面側の各コーナーフレーム１間に連結されて、正面側及び背面側の各枠Ｆ１、Ｆ２間を繋ぐアルミニウム材料からなる奥行フレーム３と、各コーナーフレーム１、各枠構成フレーム２及び各奥行フレーム３により囲まれた面内に取り付けられて、上下左右の各面Ｐをなす、アルミニウム材料からなるパネル４とを備え、これらの部材１、２、３、４により組み立てられる。
また、このラック本体Ａは２重構造になっており、図５及び図６に示すように、ラック本体Ａの内部に各種の機器を収納するためのアルミニウム材料からなるインナーフレームａが組み入れられる。
図１乃至図３に示すように、正面、背面の蓋Ｂ１、Ｂ２はそれぞれ、正面、背面の各コーナーをなすアルミニウム材料からなる蓋コーナーフレーム７１と、各蓋コーナーフレーム７１間に連結されて、各蓋コーナーフレーム７１とともに正面、背面の蓋の枠を構成するアルミニウム材料からなる蓋枠構成フレーム７２と、各蓋コーナーフレーム７１及び各蓋枠構成フレーム７２により囲まれた面内に取り付けられて、正面、背面の蓋Ｂ１、Ｂ２の面をなすアルミニウム材料からなる蓋パネル７３と、正面、背面の蓋Ｂ１、Ｂ２の蓋枠構成フレーム７１に装着され、正面、背面の蓋Ｂ１、Ｂ２とラック本体Ａとを固定する蓋ロック部材８とを備え、これらの部材７１、７２、７３、８により組み立てられる。
また、このラックＲ１の場合、図１１に示すように、取っ手３６や脚３７を含む各種の付属部品や、図１５に示すように、ラック専用台車５が付属され、各種の付属部品は必要に応じてラック本体ＡのコーナーＣをなす各奥行フレーム３に取り付けられ、ラック専用台車５もまた必要に応じて使用される。
【００１１】
図４にラック本体Ａの要部の構成を示している。図４に示すように、コーナーフレーム１は、アルミダイカストにより一体に成形され、箱形の各コーナーＣを傾斜面とする傾斜面形状のコーナー中央部１０１、コーナー中央部１０１の一端から箱形の幅方向に延び、枠構成フレーム２と連結される幅方向延長部１０２、コーナー中央部１０１の他端から箱形の高さ方向に延び、枠構成フレーム２と連結される高さ方向延長部１０３、及びコーナー中央部１０１の奥行方向の側縁部から奥行方向に延び、奥行フレーム３と連結される奥行方向延長部１０４を有する。この場合、コーナー中央部１０１、幅方向延長部１０２、高さ方向延長部１０３、奥行方向延長部１０４の外側の面はそれぞれ、フラットな面になっていて、また、コーナー中央部１０１の内側の面には後述する蓋Ｂ１、Ｂ２をラック本体Ａの各開口に位置決めするためのガイド面Ｇ１が形成される。
また、このコーナーフレーム１には、幅方向延長部１０２と枠構成フレーム２、高さ方向延長部１０３と枠構成フレーム２、奥行方向延長部１０４と奥行フレーム３をそれぞれ連結するために、幅方向延長部１０２に箱形の幅方向に向けて、高さ方向延長部１０３に箱形の高さ方向に向けて、それぞれ、枠構成フレーム２を位置決めするためのガイド凸部（又はガイド凹部）、スプリングビンを挿通可能なスプリングピン挿通部、取付ねじを挿通可能なねじ挿通部が形成され、奥行方向延長部１０４に箱形の奥行方向に、奥行フレーム３を位置決めするためのガイド凸部（又はガイド凹部）、スプリングビンを挿通可能なスプリングピン挿通部、取付ねじを挿通可能なねじ挿通部が形成される。
この場合、幅方向延長部１０２は内側の面にこの幅方向延長部１０２の先端からコーナー中央部１０１に向けて連続する直方体形状の連結ブロック１２が形成され、この連結ブロック１２の先端で中央にコーナー中央部１０１の一部を開口して貫通されるねじ挿通部１２１が形成され、このねじ挿通部１２１の両側にそれぞれ所定の深さを有する有底のスプリングピン挿通部１２２が形成される。また、この幅方向延長部１０２の内側の面には連結ブロック１２の一側部に並列にガイド凸部をなすガイドブロック１２３が形成され、先端側が幅方向延長部１０２の先端から先方に向けて突出される。
高さ方向延長部１０３は幅方向延長部１０２とコーナー中央部１０１を中心にして対称的に形成され、内側の面にこの高さ方向延長部１０２の先端からコーナー中央部１０１に向けて連続する連結ブロック１３が形成され、この連結ブロック１３の先端で中央にコーナー中央部１０１の一部を開口して貫通されるねじ挿通部１３１が形成され、このねじ挿通部１３１の両側にそれぞれ所定の深さを有する有底のスプリングピン挿通部１３２が形成される。また、この高さ方向延長部１０３の内側の面には連結ブロック１３１の一側部に並列にガイド凸部をなすガイドブロック１３３が形成され、先端側が高さ方向延長部１０３の先端から先方に向けて突出される。
奥行方向延長部１０４は内側の面の両側にそれぞれこの奥行方向延長部１０４の先端からコーナー中央部１０１に向けて連続する一対の連結ブロック１４とこれらの連結ブロック１４の内側にそれぞれ平行に連結短ブロック１４０が形成されて、各連結ブロック１４に先端から所定の深さに有底のスプリングピン挿通部１４２が形成され、各連結短ブロック１４０に先後端を開口して貫通されるねじ挿通部１４１が形成される。また、この奥行方向延長部１０４の内側の面には各連結ブロック１４の間にガイド凸部をなすガイドブロック１４３が形成され、先端側が奥行方向延長部１０４の先端から先方に向けて突出される。
さらに、このコーナーフレーム１には、ラック本体Ａの開口側の縁部となるコーナー中央部１０１及び各延長部１０２、１０３の外側の縁部に凸状部１１４、１２４、１３４が形成され、また、幅方向延長部１０２と奥行方向延長部１０４との間の縁部、及び高さ方向延長部１０３と奥行方向延長部１０４との間の縁部にそれぞれ、パネル４を取り付けるための溝１５１、１５２が、この場合、円弧状に形成される。
このようにして、１つのラックＲ１につき８個のコーナーフレーム１により、箱形の正面及び背面の各コーナーＣが構成される。
【００１２】
図２、図３及び図４に示すように、枠構成フレーム２は、アルミ押出形材からなり、外側の面がフラットで、内側の面にコーナーフレーム１の幅方向延長部１０２、高さ方向延長部１０３のスプリングピン挿通部１２２、１３２、ねじ挿通部１２１、１３１に対応して、スプリングピンを通すための溝、取付ねじを挿通するための溝をなす凹凸形状が長さ方向に連続して形成されるとともに、内側一方の側縁部に沿って溝を形成されてなる枠構成フレーム基材から、正面側及び背面側の各枠Ｆ１、Ｆ２の各辺の長さにカットされて形成される。
この場合、枠構成フレーム２は、図４に示すように、連結端からこの枠構成フレーム２の長さ方向に向けてコーナーフレーム１の幅方向延長部１０２、高さ方向延長部１０３のスプリングピン挿通部１２２、１３２、ねじ挿通部１２１、１３１に連通可能にスプリングピン挿通部２０２、ねじ挿通部２０１が形成され、ねじ挿通部２０１に図示されないナットが内設され、幅方向延長部１０２、高さ方向延長部１０３のガイドブロック１２３、１３３に係合可能にガイド溝２０３が形成され、また、組み立て時に外側となる一方の側縁部に沿ってコーナーフレーム１の凸状部１２４、１３４に連続する凸状部２０４が枠構成フレーム２の長さ方向に連続して形成され、組み立て時に内側となる他方の側縁部にパネル４を挿入可能に溝２０５が枠構成フレーム２の長さ方向に連続して形成される。
かかる枠構成フレーム２は各コーナーフレーム１の幅方向延長部１０２及び高さ方向延長部１０３に、両者のガイド溝２０３、２０３、ガイドブロック１２３、１３３が係合され、両者のスプリングピン挿通部２０２，１２２間、２０２，１３２間にスプリングピン２５２が通され、両者のねじ挿通部２０１，１２１間、２０１，１３１間に取付ねじ２５１が挿通されナットに締結されて、各コーナーフレーム１間に連結される。
このようにして、１つのラックＲ１につき２組の上下の各枠構成フレーム２、２組の左右の各枠構成フレーム２により、箱形の正面側及び背面側の各枠Ｆ１、Ｆ２が構成される。
【００１３】
図２、図３及び図４に示すように、奥行フレーム３は、アルミ押出形材からなり、外側の面が断面略Ｃ字形の浅い溝形に形成され、内側の面にコーナーフレーム１の奥行方向延長部１０４のスプリングピン挿通部１４２、１４２、ねじ挿通部１４１、１４１に対応して、スプリングピン３５２を通すための溝、ねじ３５１を挿通するための溝をなす凹凸形状が長さ方向に連続して形成されるとともに、両側の側縁部に沿って溝を形成されてなる枠構成フレーム基材から、箱形の正面側及び背面側の各枠Ｆ１、Ｆ２間の奥行方向の各辺の長さにカットされて形成される。
この場合、奥行フレーム３は、図７に示すように、外側の面の両側部に沿ってそれぞれ内方に向けて断面略Ｌ字形に突出するフランジ３１１が設けられて、外側の面に溝３１が形成され、また、内側の面の両側にそれぞれこの奥行フレーム３の長さ方向に向けてコーナーフレーム１の奥行方向延長部１０４の各スプリングピン挿通部１４２に連通可能に部品取付溝３２１が形成され、図４に示すように、この部品取付溝３２１にスプリングピン３５２を挿通保持するためのスプリング取付部材とコーナーフレーム１の奥行方向延長部１０４のねじ挿通部１４１に対応してナット３５０を取り付けるためのナット取付部材を兼用する取付部材３２２が取り付けられて、この取付部材３２２にナット３５０がコーナーフレーム１の奥行方向延長部１０４の各ねじ挿通部１４１に連通可能に取り付けられる。また、図４、図６に示すように、この奥行フレーム３の組み立て時に左右両側となる各側縁部にパネル４が挿入可能に溝３２３が奥行フレーム３の長さ方向に連続して形成される。
かかる奥行フレーム３は各コーナーフレーム１の奥行方向延長部１０４に、奥行方向延長部１０４の各スプリング挿通部１４２と奥行フレーム３の各部品取付溝３２１に取り付けられた取付部材３２２との間にスプリングピン３５２が通され、奥行方向延長部３の各ねじ挿通部１４１と奥行フレーム３の各部品取付溝３２１に取付部材３２２を介して取り付けられたナット３５０との間に取付ねじ３５１が挿通締結されて、各コーナーフレーム１間に連結される。
このようにして、１つのラックＲ１につき４本の奥行フレーム３により、箱形の正面側及び背面側の各枠Ｆ１、Ｆ２間を繋ぐ奥行部Ｓが構成される。
【００１４】
図２、図３に示すように、パネル４は、アルミ板からなり、コーナーフレーム１と枠構成フレーム２と奥行フレーム３とにより構成される箱形の上下左右の各面Ｐにコーナーフレーム１と枠構成フレーム２と奥行フレーム３の各内側の側縁部の各溝１５１，１５２、２０５、３２３に挿入して組み込み可能に平面状に形成される。このパネル４の場合、箱形の上下、左右の各面Ｐ毎に適宜大きさの矩形状のフラットパネルとして形成され、適宜補強リブが設けられる。したがって、パネル４はコーナーフレーム１、枠構成フレーム２及び奥行フレーム３により囲まれた面内に、コーナーフレーム１、枠構成フレーム２、枠構成フレーム３の溝１５１，１５２、２０５、３２３内に挟持されて組み込まれる。
このようにして、１つのラックＲ１につき上下の各面をなす２枚のパネル４と左右の各面をなす２枚のパネル４とにより、箱形の上下左右の各面Ｐが構成される。
【００１５】
また、このラック本体Ａは、既述のとおり、２重構造になっていて、図５、図６に示すように、ラック本体Ａの内部にインナーフレームａが支持装置Ｍを介して設置される。
インナーフレームａは、全体が、ラック本体Ａの内部空間内に嵌合可能にラック本体Ａの内部空間に対応する形状で、かつ各種の機器の外形に対応して当該機器の収納に適した構造に形成される。この場合、インナーフレームａは、正面側及び背面側の各コーナーをなすコーナーフレームａ１と、正面側及び背面側の各コーナーフレームａ１間に連結されて、各コーナーフレームａ１とともに正面側及び背面側の各枠を構成する枠構成フレームａ２と、正面側の各コーナーフレームａ１と背面側の各コーナーフレームａ１間に連結されて、正面側及び背面側の各枠間を繋ぐ奥行フレームａ３とを備える。各コーナーフレームａ１はアルミダイカストからなり、正面側及び背面側の各コーナーを傾斜面とするコーナー中央部と、コーナー中央部の一端から幅方向に延び、枠構成フレームａ２と連結される幅方向延長部、コーナー中央部の他端から高さ方向に延び、枠構成フレームａ２と連結される高さ方向延長部、及びコーナー中央部の奥行側縁部から奥行方向に延び、奥行フレームａ３と連結される奥行方向延長部を有し、外側の面がフラットで、内側の面に、各種の機器の収納に適する所定の断面形状を有する。各枠構成フレームａ２、各奥行フレームａ３はいずれも、アルミ押出形材からなり、外側の面がフラットで、内側の面に、各種の機器の収納に適する断面形状を有する。そして、各コーナーフレームａ１の幅方向延長部に枠構成フレームａ２、高さ方向延長部に枠構成フレームａ２、奥行方向延長部に各奥行フレームａ３がそれぞれ、スプリングピン、取付ねじ及びナットを介して連結され、各コーナーフレームａ１、各枠構成フレームａ２及び各奥行フレームａ３により、全体が断面略８角形に構成される。なお、このインナーフレームａの場合、複数段の棚が設けられる。
支持装置Ｍは４点の支持部品Ｍ１からなり、それぞれ、ラック本体Ａの４コーナーの各奥行フレーム３の内側に取り付けられる。支持部品Ｍ１はそれぞれ、図７に示すように、ラック本体Ａの奥行フレーム３に固定されるベースフレームＭ１１と、ベースフレームＭ１１上に複数の防振ゴムＭ１２を介して取り付けられ、インナーフレームａの各コーナー付近を支持する支持フレームＭ１３とを備えて構成される。この場合、ベースフレームＭ１１は奥行フレーム３上に延びるフレームで、奥行フレーム３の内側面上に設置可能な平面状のベース部Ｍ１１１と、奥行フレーム３の両側の各部品取付溝３２１に沿って設置可能に断面略くの字形の屈曲面をなす固定部Ｍ１１２とを有し、ベース部Ｍ１１１の所定の複数個所に防振ゴムＭ１２のための取付ねじ挿通部が設けられ、各固定部Ｍ１１２の側縁部側の面で各部品取付溝３２１の開口に対応する所定の複数個所にベースフレームＭ１１のための取付ねじ挿通部が設けられる。支持フレームＭ１３はベースフレームＭ１１上に延びるフレームで、ベースフレームＭ１１のベース部Ｍ１１１と平行な平面状の取付部Ｍ１３１と、取付部Ｍ１３１の両側に略ハの字形に開く方向に延びる支持部Ｍ１３２とを有し、取付部Ｍ１３１の所定の複数個所に防振ゴムＭ１２のための取付ねじ挿通部が設けられる。このようにしてベースフレームＭ１１上に複数の防振ゴムＭ１２を介して支持フレームＭ１３が取り付けられ、ベースフレームＭ１１が奥行フレーム３上に設置されて、各固定部Ｍ１１２の各取付ねじ挿通部に取付ねじが通され、奥行フレーム３の各部品取付溝３２１内に設置固定されたナットに締結されて固定される。
このようにしてインナーフレームａは、ラック本体Ａ内部の四隅に固定された各支持部品Ｍ１が、支持フレームＭ１３の取付部Ｍ１３１の面上に差し込まれる専用の治具により各防振ゴムＭ１２を圧縮する方向に加圧され押し広げられた状態から、各支持部品Ｍ１の内側に組み入れられ、専用の治具による加圧の解除、取り外しにより各支持部品Ｍ１を弾性復帰させることにより、インナーフレームａの各コーナーの両側が各支持部品Ｍ１の支持フレームＭ１３の各支持部Ｍ１３２に圧接されて、インナーフレームａは各支持部品Ｍ１によりラック本体Ａの内部に宙に浮いた状態にして弾性的に支持される。
【００１６】
このようにラック本体Ａは、正面側及び背面側の各コーナーＣをなすコーナーフレーム１と、各コーナーフレーム１とともに正面側及び背面側の各枠Ｆ１、Ｆ２を構成する枠構成フレーム２と、正面側及び背面側の各枠Ｆ１、Ｆ２間を繋ぐ奥行フレーム３と、上下左右の各面Ｐをなすパネル４とからなり、各コーナーフレーム１が、正面側及び背面側の各コーナーＣを傾斜面とする傾斜面形状のコーナー中央部１０１、コーナー中央部１０１の一端から幅方向に延び、枠構成フレーム２と連結される幅方向延長部１０２、コーナー中央部１０１の他端から高さ方向に延び、枠構成フレーム２と連結される高さ方向延長部１０３、及びコーナー中央部１０１の奥行側縁部から奥行方向に延び、奥行フレーム３と連結される奥行方向延長部１０４を有し、各奥行フレーム３が各コーナーフレーム１の奥行方向延長部１０４に連結されて、ラック本体Ａ全体が断面略８角形に構成される。
【００１７】
図１に示すように、蓋コーナーフレーム７１は、アルミダイカストにより一体に成形され、正面側、背面側の各コーナーＣを傾斜面とする傾斜面形状のコーナー中央部７１１、コーナー中央部７１１の一端から幅方向に延び、蓋枠構成フレーム７２と連結される幅方向延長部７１２、及びコーナー中央部７１１の他端から高さ方向に延び、蓋枠構成フレーム７２と連結される高さ方向延長部７１３を有する。この場合、コーナー中央部７１１、幅方向延長部７１２、高さ方向延長部７１３の外側の面はフラットで、内側の面には内周方向に凸状部７１４が形成されてその内周縁に蓋パネル７３を取り付けるための溝７１５が形成され、また、ラック本体Ａのコーナーフレーム１の凸状部１１４、１２４、１３４と対向するコーナー中央部７１１及び各延長部７１２、７１３の内側の縁部にコーナーフレーム１の凸状部１１４、１２４、１３４に係合可能な凹状部（図示省略）が形成される。
蓋枠構成フレーム７２は、アルミ押出形材からなり、外側の面がフラットで、内側の面には凸状部７２４が形成され、その内周縁に蓋パネル７３を取り付けるための溝７２５が形成され、また、ラック本体Ａの枠構成フレーム２の凸状部２０４と対向する内側の縁部に枠構成フレーム２の凸状部２０４に係合可能な凹状部（図示省略）が形成される。
かかる蓋枠構成フレーム７２は、各蓋コーナーフレーム７１の幅方向延長部７１２及び高さ方向延長部７１３にそれぞれ、スプリングピン、取付ねじ及びナットを介して連結される。
蓋パネル７３は、アルミ板からなり、蓋コーナーフレーム７１と蓋枠構成フレーム７２とにより構成される枠内に蓋コーナーフレーム７１及び蓋枠構成フレーム７２の内側の面の溝７１５、７２５に挟持されて組み込まれる。
このようにして正面、背面の蓋Ｂ１、Ｂ２はそれぞれ、正面、背面の枠をなす蓋コーナーフレーム７１、及び蓋枠構成フレーム７２と、正面、背面の蓋Ｂ１、Ｂ２の面をなす蓋パネル７３とからなり、蓋コーナーフレーム７１が、蓋Ｂ１、Ｂ２の各コーナーを傾斜面とする傾斜面形状のコーナー中央部７１１、コーナー中央部７１１の一端から蓋Ｂ１、Ｂ２の幅方向に延び、蓋枠構成フレーム７２と連結される幅方向延長部７１２、コーナー中央部７１１の他端から蓋Ｂ１、Ｂ２の高さ方向に延び、蓋枠構成フレーム７２と連結される高さ方向延長部７１３を有し、全体がラック本体Ａに対応する断面略８角形に構成される。
これらの蓋Ｂ１、Ｂ２にはそれぞれ、後部側の各コーナーの内側に蓋枠構成フレーム７２から後方に突出し、ラック本体Ａのコーナーフレーム１のコーナー中央部１０１の内側の面に設けられたガイド面Ｇ１に係合可能な外面を有するガイド凸起Ｇ２（図６参照）が設けられる。これらのガイド面Ｇ１、ガイド凸起Ｇ２は、ラック本体Ａの正面及び背面と正面及び背面の各蓋Ｂ１、Ｂ２との間に設けられ、正面及び背面の各蓋Ｂ１、Ｂ２をラック本体Ａの正面及び背面に位置決めし保持するための位置決めガイドをなす。
また、これらの蓋Ｂ１、Ｂ２には、各コーナーの外側面に当該外側面の形状に沿ってラバーからなるカバー７Ｃが被せ付けられる。
【００１８】
また、これらの蓋Ｂ１、Ｂ２にはそれぞれ複数の蓋ロック部材８が設けられる。図８乃至図１０に蓋ロック部材８の構成を示している。図８に示すように、蓋ロック部材８はそれぞれ、外側の円筒部８１と、外側の円筒部８１内に回転可能に嵌挿される内側の円筒部８２、及び内側の円筒部８２の基端部に当該円筒部８２の軸方向に対して直角方向に回動可能に取り付けられ、外側の円筒部８１内で内側の円筒部８２を回転操作するためのハンドル８３と、内側の円筒部８２内に回転可能にかつ進退可能に挿通され、外側及び内側の各円筒部８１、８２の先端から突出する駆動軸８４、及び駆動軸８４の先端側に当該軸方向に対して直角方向に向けて突設され、所定の被係合部に係止可能な係止部８５と、外側の円筒部８１及び内側の円筒部８２と駆動軸８４との間に形成され、この蓋ロック部材８の初期状態において、内側の円筒部８２の一方向の回転運動により、駆動軸８４を内側の円筒部８２の回転方向に所定の角度だけ回転案内し、駆動軸８４が当該回転方向に所定の角度だけ回転した地点で駆動軸８４を内側の円筒部８２の軸上を後退方向に移動案内し、この状態から、内側の円筒部８２の他方向の回転運動により、駆動軸８４を内側の円筒部８２の軸上を前進方向に移動案内し、駆動軸８４が内側の円筒部８２内を所定の距離だけ前進移動した地点で駆動軸８４を内側の円筒部８２の回転方向に所定の角度だけ回転案内するガイド機構８６とを備える。
【００１９】
この蓋ロック部材８の場合、外側の円筒部８１はステンレス鋼鋳鋼品で、図９に示すように、基端部の大径部８１１と、中間の中径部８１２と、先端部の小径部８１３とからなる。大径部８１１は中空の円筒状に形成され、一端に開口８１４を有し、他端に中径部８１２に連通する中径部８１２の内周面と同径の底部開口８１５を有する。この大径部８１１の外周部の高さ方向の寸法（言い換えれば、この大径部８１１の軸方向の長さ）は比較的小さく、この場合、ハンドル８３の軸８３２の断面積（この場合、軸８３２の軸方向に対して垂直の断面積をいう。以下、同様。）の高さ方向の寸法よりも少し大きくなっている。この外周部の所定の位置２箇所に各箇所間に略９０°の間隔でハンドル８３の軸８３２が嵌合可能にハンドル８３の軸８３２の断面積より少し大きい溝８１６が大径部８１１の開口端から底部に向けて略コ字形に切られている（図８参照）。中径部８１２は大径部８１１に同芯的に連続する中空の円筒状に形成され、全長が比較的長い所定の長さに形成され、小径部８１３側の端部に小径部８１３の内周面と同径の開口８１７が形成される。また、この中径部８１２の外周面はねじが切られて、この外周面にこの蓋ロック部材８の取付固定用のナット（六角ナットなど）８０が取り付けられる（図８参照）。小径部８１３は中径部８１２に同芯的に連続する中空の円筒状に形成され、全長が比較的短い所定の長さに形成され、その突出端に小径部８１３の内周面と同径の開口８１８が形成される。また、この小径部８１８の外周部には開口８１８縁部の相互に対称の所定の位置２箇所にそれぞれ略９０°の範囲に亘って後述の回転方向ガイドピン８４４が嵌合可能な比較的浅い溝形にして回転方向ガイド８１９ａが切られ、その一端からさらに軸方向に向けて連続的に所定の長さに延び、回転方向ガイドピン８４４が嵌合可能に比較的小さい幅の溝形にして進退方向ガイド溝８１９ｂが切られる。結果として、これらのガイド溝８１９ａ、８１９ｂは小径部８１３の外周部に略Ｌ字形に形成される。
内側の円筒部８２はステンレス鋼鋳鋼品で、図１０に示すように、基端側の大径部８２１と先端側の小径部８２２とからなる。この円筒部８２は全体が充実軸からなり、大径部８２１は外側の円筒部８１の大径部８１１内にその内周面に沿って嵌合可能に、またこの大径部８１１内で回転可能に円筒状に形成され、その軸芯上にハンドル８３の軸８３２が嵌合可能にハンドル８３の軸８３２の断面積よりも僅かに大きい中空部８２３が形成される。また、この中空部８２３はその一部がこの円筒部８２の外周方向に延び、外周部の一部に溝形に開口される（以下、この開口を中空部の外周部開口８２４という。）。したがって、この中空部８２２は大径部８２１の天面から見て略コ字形又は略Ｕ字形の溝形形状に切り欠かれている。小径部８２２は大径部８２１に同芯的に連続し、比較的長い所定の長さの円筒状に形成される。この小径部８２２の軸芯上の大径部８２１側一方の端部側に大径部８２１の底部から所定の径の小さい穴８２５が所定の長さに形成され、他方の端部側に所定の径の大きな穴８２６が所定の長さに形成されて他方の端面が開口される。この大きな穴８２６の外周部にはこの穴８２６の底部側から開口に向けて対称的に後述の進退方向ガイドピン８４３が嵌合可能に、一対の略螺旋形の部分形状をなすスリットが切られて進退方向ガイド８２７が形成される。
ハンドル８３はステンレス鋼鋳鋼品で、図８に示すように、全体が略Ｔ型に形成され、グリップ８３１と、グリップ８３１の中央に突出される軸８３２とからなる。この場合、軸８３２は断面四角形に形成され、その先端面とグリップ８３１とともにＴ字形をなす一方の側面で先端側にそれぞれ、所定径の小さな鋼球９０が嵌合可能な略半球状の溝８２８が形成される。このハンドル８３は内側の円筒部８２の大径部８２１にディテントスプリング９１、鋼球９０を介して取付ピン８２９により軸支される。この場合、大径部８２１の中空部底部の小さな穴８２５上にディテントスプリング９１を介して鋼球９０が配置される。ここで鋼球９０はディテントスプリング９１により穴８２５から飛び出す方向に付勢される。ハンドル８３の軸８３２は、一方の側面の半球状の溝８２８を大径部８２１の中空部８２３の外周部開口８２４に向けて、大径部８２１の中空部８２３に挿入され、この半球状の溝８２８を有する側面に対して両側の面に大径部８２１側から取付ピン８２９が通されてこの取付ピン８２９を介して回動可能に取り付けられる。このようにしてハンドル８３は、軸８３２が内側の円筒部８２の大径部８２１（内側の円筒部８２の基端部）に大径部８２１と同軸上に延び、内側の円筒部８２と一体に回転する作動連結位置と、軸８３２が大径部８２１の軸方向に対して溝形の中空部８２３を通して直角の位置に倒伏し、内側の円筒部８２と一体に回転可能しない作動連結解除位置との間を回動可能に取り付けられ、軸８３２が作動連結位置にある場合は、この状態が軸８３２先端面の半球状の溝８２８と大径部８２１底部の鋼球９０との弾性係合により保持され、軸８３２が作動連結解除位置にある場合は、この状態が軸８３２側面の半球状の溝８２８と大径部８２１底部の鋼球９０との弾性係合により保持される。
駆動軸８４はステンレス鋼鋳鋼品で、図８に示すように、全体として円筒状に形成される。この駆動軸８４は充実軸からなり、内側の円筒部８２の小径部８２２の大きな穴８２６内にその内周面に沿って嵌合可能に、またこの大きな穴８２６内で回転可能に所定の長さを有する円筒状に形成され、その先端側に先端面を開口して雌ねじ８４０が設けられる。また、この駆動軸８４の基端部側と先端部側所定の位置にそれぞれ軸芯に対して直角にピン挿通部８４１、８４２が形成され、基端部側のピン挿通部８４１にこのピン挿通部８４１よりも長いステンレス軸からなる進退方向ガイドピン８４３が挿通され、先端部側のピン挿通部８４２にこのピン挿通部８４２よりも長いステンレス軸からなる回転方向ガイドピン８４４が挿通される。
係止部８５はステンレス鋼板からなり、図８に示すように、細長い板状に形成され、一端側に軸挿通部８５０が穿たれる。この係止部８５は一端が駆動軸８４の先端面に配置され、係止部８５の軸挿通部８５０上に複数の座金９２を介して、ねじ９３が軸挿通部８５０に挿通され、駆動軸８４の先端面の雌ねじ８４０に締結されて固定される。
蓋ロック部材８はこれら駆動軸８４、内側の円筒部８２、外側の円筒部８１、係止部８５が順次組み立てられて形成される。すなわち、駆動軸８４は後端部側から内側の円筒部８２の大きな穴８２６に先端の開口から挿入され、この穴８２６の底部まで挿通されて、駆動軸８４の先端部側をピン挿通部８４２が内側の円筒部８２の先端から外部に露出するように突出されるとともに、駆動軸８４の基端部側のピン挿通部８４１が内側の円筒部８２の進退方向ガイド８２７の一端側に対向され、この状態でピン挿通部８４１、進退方向ガイド８２７間に進退方向ガイドピン８４３が通されて、駆動軸８４が内側の円筒部８２内に（内側の円筒部８２の回転運動により）進退方向ガイドピン８４３と進退方向ガイド８２７とを案内にして所定の距離だけ進退可能に組み立てられる。このようにして組み立てられた内側の円筒部８２と駆動軸８４は、内側の円筒部８２の小径部８２２の基端部側にパッキン９５が取り付けられて、駆動軸８４の先端から外側の円筒部８１の大径部８１１に挿入され、中径部８１２を通し、小径部８１３から突出されて、内側の円筒部８２の大径部８２１及び小径部８２２がそれぞれ外側の円筒部８１の大径部８１１及び中径部８１２に回転可能に嵌め込まれる。この状態で外側の円筒部８１の小径部８１３の進退方向ガイド８１９ｂ又は回転方向ガイド８１９ａ（図１２参照）を通じて駆動軸８４の先端側のピン挿通部８４２に回転方向ガイドピン８４４が挿通されて、駆動軸８４が外側の円筒部８１内に回転方向ガイドピン８４４と進退方向ガイド８１９ｂとを案内にして所定の距離だけ進退可能に、かつこの回転方向ガイドピン８４４と回転方向ガイド８１９ａとを案内にして所定の回転角度だけ回転可能に組み立てられる。そして、外側の円筒部８１の小径部８１３上にコイルスプリング９６が巻き付けられ、係止部８５が駆動軸８４の先端にコイルスプリング９６を介して既述のとおりに取り付けられて、駆動軸９４の軸方向に対して直角方向に向けて突出される。
このようにして内側の円筒部８２の外周部に形成された進退方向ガイド８２７に駆動軸９４の基端部側のピン挿通部８４１に通された進退方向ガイドピン８４３が係合され、外側の円筒部８１の小径部８１３に形成された回転方向ガイド８１９ａ及び進退方向ガイド８１９ｂに駆動軸８４の先端部側のピン挿通部８４２に通された回転方向ガイドピン８４４が係合され、これら進退方向ガイド８２７及び進退方向ガイドピン８４３、回転方向ガイド８１９ａ、進退方向ガイド８１９ｂ及び回転方向ガイドピン８４４の案内により、内側の円筒部８２の一方向の回転運動により、駆動軸８４を内側の円筒部８２の回転方向に所定の角度だけ回転案内し、駆動軸８４が当該回転方向に所定の角度だけ回転した地点で駆動軸８４を内側の円筒部８２の軸上を後退方向に移動案内し、内側の円筒部８２の他方向の回転運動により、駆動軸８４を内側の円筒部８２の軸上を前進方向に移動案内し、駆動軸８４が内側の円筒部８２内を所定の距離だけ前進移動した地点で駆動軸８４を内側の円筒部８２の回転方向に所定の角度だけ回転案内する形式のガイド機構８６が構成される。
【００２０】
このようにして複数の蓋ロック部材８が構成され、これらの蓋ロック部材８によりラック本体Ａと正面及び背面の各蓋Ｂ１、Ｂ２がロックされる。
【００２１】
このようにラックＲ１はラック本体Ａ、正面及び背面の各蓋部材Ｂ１、Ｂ２が共に断面略８角形に構成され、ラック本体Ａの斜めのコーナーＣをなす各奥行フレーム３の外側の面に、図１１に示すように、各種の付属部品が、各フランジ３１１の内面間に係合可能な固定部材と、各種の付属部品に一体的に設けられ、各フランジ３１１の外面間に跨って設置可能な取付部材とをそれぞれ各フランジ３１１に圧接可能にねじで締め付ける形式の取付部品３Ｐにより着脱可能に取り付けられる。
【００２２】
図１２、図１３に取付部品の構成を示している。図１２、図１３に示すように、取付部品３Ｐの固定部材３３は、この奥行フレーム３の外側の面の各フランジ３１１間の開口幅より小さい幅で、かつ開口幅より大きく溝３１の底部側の幅と略同じか少し小さい長さを有し、各フランジ３１１の内面間に係脱可能な平板に形成され、この平板を平板の長さ方向を溝３１の底部側の幅方向に向けて溝３１内に配置したときに、この平板の長さ方向の中間部で各フランジ３１１間の開口に対向する位置に表側の平面から裏側の平面に向けてねじ穴３３０が貫通形成される。また、固定部材３３は、奥行フレーム３の各フランジ３１１の内面間に係止可能に略長方形の平板に形成され、かつ平板の４つのコーナーのうち、一方の対角線上で対向する各コーナーが面取りされて略円弧状に形成される。なお、この場合、固定部材３３は１個の取付部材３４に対して２個１組で使用される。また、ねじ穴３３０は２つ固定部材３３の長さ方向に並べて形成される。
取付部材３４は、各種の付属部品側に一体的に、奥行フレーム３の各フランジ３１１の外面間に跨って設置可能な各種の形状に形成され、この各種の形状の各フランジ３１１間の開口に対向する位置に固定部材３３のねじ穴３３０に対応して表側から裏側に向けてねじ穴３４０が貫通形成される。なお、この場合、取付部材３４の各フランジ３１１間に跨る方向を取付部材３４の長さ方向、これに直交する方向を取付部材３４の幅方向とすると、ねじ穴３４０は取付部材３４の長さ方向に２つ、幅方向に２列又は１列にして合計４つ又は２つ形成される。
ねじ３５はこれらの取付部材３４のねじ穴３４０から固定部材３３のねじ穴３３０に貫通して螺合される。なお、この場合、ねじ３５は１個の取付部材３４に対して４本１組又は２本１組で使用される。
このようにして固定部材３３の幅方向を奥行フレーム３の各フランジ３１１間に合わせ、固定部材３３を各フランジ３１１間の開口を通して、溝３１の底面側へ挿入した後、固定部材３３を回転し、固定部材３３の長さ方向を溝３１の幅方向に向けて各フランジ３１１の内面に係合可能に配置し、この状態で、取付部材３４を奥行フレーム３の各フランジ３１１の外面間に跨って設置し、これら取付部材３４及び固定部材３３の各ねじ穴３４０、３３０間に各フランジ３１１間の開口を通してねじ３５を挿通し締め込むことにより、固定部材３３と取付部材３４をそれぞれ、各フランジ３１１に内側及び外側から圧接させて、各種の付属部品を奥行フレーム３の外側の面上に固定する。
【００２３】
図１１に示すように、下面側の各奥行フレーム３の外側の面に取り付けられる付属部品として４個の脚３７を備える。各脚３７は、図１２に示すように、取付部材３４が一体的に形成され、固定部材３３、取付部材３４及びねじ３５を介して下面側の奥行フレーム３の外側の面に取り付けられる。この場合、各脚３７は、下面側の奥行フレーム３から当該下面側の奥行フレーム３の側方に突出することなしに下方に向けて延びる脚部本体３７１と、脚部本体３７１の上面側に形成され、下面側の奥行フレーム３を支持可能な斜めのフレーム支持部３７２、及びこのフレーム支持部３７２の下端から水平方向に向けて形成され、下面のパネル４の縁部付近を支持可能なパネル支持部３７３と、脚部本体３７１の内側でパネル支持部３７３と脚部本体３７１の下部との間に形成され、上面側の奥行フレーム３に当接可能な斜めのフレーム係合部３７４とを有する。この場合、各脚３７のパネル支持部３７３の下面から斜めのフレーム係合部３７４にポリアセタール樹脂（ＰＯＭ）などのエンジニアリングプラスチック３７６が被着され、また、脚部本体３７１の下端面にはシリコンラバー３７５が付設される。
この脚３７の場合、取付部材３４は、斜めのフレーム支持部３７２に形成され、このフレーム支持部３７２は奥行フレーム３の両側のフランジ３１１間に跨って設置可能に略矩形の平板に形成され、この平板のフランジ３１１間の開口に対向する位置に固定部材３３のねじ穴３３０に対応して表側から裏側に向けてねじ穴３４０が貫通形成されてなる。この場合、ねじ穴３４０はフレーム支持部３７２に長さ方向に２つ幅方向に２列設けられる。なお、固定部材３３、ねじ３５は既述のとおりである。
この脚３７の取り付け方は次のとおりである。この脚３７の場合、脚３７一つにつき、まず、２つの固定部材３３をそれぞれ、固定部材３３の幅方向を奥行フレーム３の各フランジ３１１間に合わせ、各フランジ３１１間の開口を通して、溝３１の底面側へ挿入した後、各固定部材３３を回転し、各固定部材３３の長さ方向を溝３１の幅方向に向けて各フランジ３１１の内面に係合可能に配置する。次に、脚３７のパネル支持部３７３を下面のパネル４の縁部付近に沿って合わせるとともに、脚３７に一体の取付部材３４、すなわち、フレーム支持部３７２を奥行フレーム３の各フランジ３１１の外面間に跨って設置する。そして、これらフレーム支持部３７２の各ねじ穴３４０にねじ３５を挿通し、各フランジ３１１間の開口を通して、各固定部材３３の各ねじ穴３３０に締め込むことにより、固定部材３３と取付部材３４をそれぞれ、各フランジ３１１に内側及び外側から圧接させて、取付部材３４を奥行フレーム３の外側の面上に固定する。
なお、この取付部材３４と固定部材３３とのねじ締結において、固定部材３３が、奥行フレーム３の各フランジ３１１の内面間に係止可能に略長方形の平板に形成され、かつ平板の４つのコーナーのうち、一方の対角線上で対向する各コーナーが略円弧状に形成されていることで、固定部材３３は奥行フレーム３の溝３１内で一方向にのみ回転可能で、他方向に回転されないため、ねじ３５を取付部材３４を通して固定部材３３に締め込む際に、この固定部材３３がねじ３５とともに回転することがない。
このようにして脚３７はラック本体Ａの下面側の各奥行フレーム３の前後両端付近に１つずつ取り付けられる。
【００２４】
また、このラックＲ１では、図１１、図１２に示すように、上面側の奥行フレーム３の外側の面に取り付けられる付属部品として４つの取っ手３６を備える。各取っ手３６は、図１３に示すように、取付部材３４が一体的に形成され、固定部材３３、取付部材３４及びねじ３５を介して上面側の奥行フレーム３の外側の面に取り付けられる。この場合、各取っ手３６は、図１１に示すように、略コ字形又は略Ｕ字形をなし、両端に取付軸３６２を有する取っ手本体３６１と、上面側の奥行フレーム３の側方に突出することなしにこの奥行きフレーム３上に設置可能に形成され、取っ手本体３６１の各取付軸３６２を軸支する一対の取っ手台座３６３とを有する。この取っ手３６の場合、取っ手本体３６１は略コ字形をなし、取っ手本体３６１の中間部にグリップカバー３６０が装着される。また、取付軸３６２は取っ手本体３６１の両端から内向きに延ばされており、一方の取付軸３６２は他方の取付軸３６２に対して所定の角度を付け偏芯され、取っ手台座３６３に軸支される。これにより取っ手本体３６１が取っ手台座３６３に対して回動が適度に規制され、取っ手３６のばたつきが防止される。取っ手台座３６３は、図１３に示すように、両側面が略三角形の面をなす、各フランジ３１１間に跨って設置可能な三角柱に形成され、外側の側面に取っ手本体３６１の取付軸３６２を軸支するための軸挿通部を有する。
この取っ手３６の場合、取付部材３４は、取っ手台座３６３に形成され、底面をなす面が奥行フレーム３の各フランジ３１１の外面間に跨って設置可能に略矩形の平面で、かつ各フランジ３１１間に位置決め可能に、各フランジ３１１間の開口に対応する位置に各フランジ３１１の開口縁部に係合可能な２つの凸段部が形成されて、上面側の各斜めの面と底面の各凸段部との間に固定部材３３のねじ穴３３０に対応して表側から裏側に向けてねじ穴３４０が貫通形成されてなる。この場合、ねじ穴３４０は各取っ手台座３６３に長さ方向に２つ１列に設けられる。なお、固定部材３３、ねじ３５は既述のとおりである。
この取っ手３６の取り付け方は次のとおりである。この取っ手３６の場合、取っ手３６一つにつき、まず、２つの固定部材３３をそれぞれ、固定部材３３の幅方向を奥行フレーム３の各フランジ３１１間に合わせ、各フランジ３１１間の開口を通して、溝３１の底面側へ挿入した後、各固定部材３３を回転し、各固定部材３３の長さ方向を溝３１の幅方向に向けて各フランジ３１１の内面に係合可能に配置する。次に、取っ手本体３６１を取り付けた各取っ手台座３６３の底面を奥行フレーム３の各フランジ３１１の外面間に跨って設置する。そして、これら取っ手台座３６３の各ねじ穴３４０にねじ３５を挿通し、各フランジ３１１間の開口を通して、各固定部材３３の各ねじ穴３３０に締め込むことにより、各固定部材３３と各取っ手台座３６３をそれぞれ、各フランジ３１１に内側及び外側から圧接させて、各取っ手台座３６３を奥行フレーム３の外側の面上に固定する。
なお、この取っ手台座３６３と固定部材３３とのねじ締結において、固定部材３３が、奥行フレーム３の各フランジ３１１の内面間に係止可能に略長方形の平板に形成され、かつ平板の４つのコーナーのうち、一方の対角線上で対向する各コーナーが略円弧状に形成されていることで、固定部材３３は奥行フレーム３の溝３１内で一方向にのみ回転可能で、他方向に回転されないため、ねじ３５を取付部材３４を通して固定部材３３に締め込む際に、この固定部材３３はねじ３５とともに回転することがない。
このようにして取っ手３６はラック本体Ａの上面側の各奥行フレーム３の前後両端付近に一つずつ取り付けられる。なお、この取っ手３６はラック本体Ａの上面側の各奥行フレーム３の中央付近に一つずつ取り付けられてもよい。
【００２５】
また、このラックＲ１では、図１１に示すように、上下に積み重ねられる複数のラックＲ１間を固定するためのロック装置３８を備える。このロック装置３８は、ラックＲ１が上下に積み重ねられた状態において、上面側の各奥行フレーム３又は下面側の各奥行フレーム３のいずれか一方の外側の面に所定の間隔をあけて取り付けられる少なくとも２つの固定側ロック部材３８１、及び２つの固定側ロック部材３８１のうちの一方の固定側ロック部材３８１ａで他方の固定側ロック部材３８１ｂに対向する面に形成される係合凹部又は係止凸部と、他方の外側の面に一方の外側の面の２つの固定側ロック部材３８１の間で一方の固定側ロック部材３８１ａに連接可能に取り付けられる作動側ロック部材３８２、作動側ロック部材３８２の一方の固定側ロック部材３８１ａに対向する面に形成され、一方の固定側ロック部材３８１ａの係合凹部又は係止凸部に係合可能な係止凸部又は係止凹部、及び作動側ロック部材３８２の他方の固定側ロック部材３８１ｂに対向する面に垂直方向に回動可能に取り付けられ、作動側ロック部材３８２と他方の固定側ロック部材３８１ｂとの間に係脱可能なロックレバー３８３とにより構成される。
なお、このロック装置３８は、各部が専用の部品で構成されてもよく、取っ手３６や脚３７など各種の付属部品を利用して構成されてもよい。
【００２６】
図１１に示すように、このラックＲ１の場合、上面側の各奥行フレーム３の外側の面に前後に２つずつ取り付けられた取っ手台座３６３がそれぞれ、固定側ロック部材３８１として用いられ、各奥側の取っ手台座３６３ａの各手前側の取っ手台座３６３ｂに対向する面に係合凹部３６４が設けられる。また、下面側の各奥行フレーム３の外側の面に前後に一つずつ取り付けられた脚３７がそれぞれ、作動側ロック部材３８２として用いられ、下面側の各奥行フレーム３の外側の面に各脚３７が上面側の各奥行フレーム３の外側の面の各２つの取っ手台座３６３の間で各奥側の取っ手台座３６３ａに連接可能に取り付けられ、各脚３７の各奥側の取っ手台座３６３に対向する面に、各奥側の取っ手台座３６３の係合凹部３６４に係合可能な係止凸部３７７が設けられ、各手前側の脚３７の各手前側の取っ手台座３６３ｂに対向する面にロックレバー３８３が垂直方向に回動可能に取り付けられて、各手前側の脚３７と各手前側の取っ手台座３６３との間に係脱可能になっている。この場合、ロックレバー３８は図示されない回転軸にＯリングが装着されて、摩擦抵抗が持たされており、これによって、ロックレバー３８のばたつきが防止される。また、このロックレバー３８が下方の回動端まで回動され、各脚３７と各手前側の取っ手台座３６３との間に係合された状態のロックレバー３８３をロックするために、図１４に示すように、このロックレバー３８３が取り付けられた各脚３７の面には、ロックレバー３８３の下方の回動端に対応する位置にボールプランジャー３９が埋め込まれてボールの一部が所定量突出され、これによって、ロックレバー３８３の動き（上方への回動）が規制されて、このロックレバー３８３の確実なロック状態が得られるようになっている。
【００２７】
図１５にこのラックＲ１に付属するラック移動用のラック専用台車５を示している。このラック専用台車５は、図１５に示すように、正面側及び背面側の各コーナーをなすコーナーフレーム５１と、正面側及び背面側の各コーナーフレーム５１間に連結されて、各コーナーフレーム５１とともに正面側及び背面側の各枠を構成する枠構成フレーム５２と、正面側の各コーナーフレーム５１と背面側の各コーナーフレーム５１間に連結されて、正面側及び背面側の各枠間を繋ぐ奥行フレーム５３とを有する、ラックＲ１を載せるための台フレーム５４と、図１６乃至図１９に示すように、この台フレーム５４内の各コーナーにヒンジ部材５５を介して垂直方向に回動可能に取り付けられる支持部材５６と、各支持部材５６の回動端に軸受５７を介して軸支される車輪５７０と、台フレーム５４内に設置され、各支持部材５６を垂直位置で回動を規制し、各車輪５７を台フレーム５４の下方に突出案内する垂直方向ガイド５８、及び各支持部材５６を水平位置で回動を規制し、各車輪５７を台フレーム５４内に収納案内する水平方向ガイド５９と、各支持部材５６を垂直位置で垂直方向ガイド５８に固定し、水平位置で水平方向ガイド５９に固定するストッパー６０とを備え、車輪５７は台フレーム５４の下方に突出されて転動可能に、また、台フレーム５４内に折り畳まれて収納可能に構成される。
この場合、各コーナーフレーム５１は、正面側及び背面側の各コーナーを傾斜面とする傾斜面形状のコーナー中央部、コーナー中央部の一端から幅方向に延び、枠構成フレーム５２と連結される幅方向延長部、コーナー中央部の他端から高さ方向に延び、枠構成フレーム５２と連結される高さ方向延長部、及びコーナー中央部の奥行側縁部から奥行方向に延び、奥行フレーム５３と連結される奥行方向延長部を有し、各奥行フレーム５３はラック本体Ａの奥行フレーム３と共通で、各コーナーフレーム５１及び各奥行フレーム５３により、台フレーム５４全体が断面略８角形に構成されて、各奥行フレーム５３の外側の面に、ラックＲ１と共通の各種の付属部品が、ラックＲ１と共通の固定部材（３３）、取付部材（３４）及びねじ（３５）からなる取付部品（３Ｐ）により着脱可能に取り付けられる。なお、ここでは、ラック専用台車５の各奥行フレーム５３にラックＲ１と共通の脚３７がラックＲ１と同様に取り付けられる。
また、この場合、ストッパー６０は、図１８に示すように、各支持部材５６に設けられるねじ穴６１と、垂直方向ガイド５８に垂直位置の各支持部材５６のねじ穴６１に対応して設けられるねじ穴６２と、図１７に示すように、水平方向ガイド５９に水平位置の各支持部材５６のねじ穴６１と対応して設けられるねじ穴６３と、各支持部材５６と垂直方向ガイド５８の各ねじ穴６１、６２間、各支持部材５６と水平方向ガイド５９の各ねじ穴６１、６３間に締結される共通のねじ６４とにより構成される。なお、ねじ４５は紐などにより台フレーム５４に連結される。
さらに、このラック専用台車５にあっては、図１６、図１８に示すように、台フレーム５４に平板を収納可能なスペース５０を備え、このスペース５０に平板状のラック載置用のプレート５０１が収納される。
【００２８】
この機器収納用ラック、及び付属部品、ラック専用台車の使い方について図１、図２、図５、図６、及び図７、並びに図１１、及び図１５乃至図２０を用いて説明する。
図１及び図２に示すように、この機器収納用ラックＲ１は、ラック本体Ａと、正面及び背面の蓋Ｂ１、Ｂ２とからなるので、ラック本体Ａの正面及び背面が開放された状態から、ラック本体Ａにコンピュータ、通信機器など各種の機器を収容する。この場合、ラック本体Ａの中から図５に示すインナーフレームａを取り出し、インナーフレームａに各種の機器を組み込んだ後、このインナーフレームａをラック本体Ａ内に戻し入れて、各種の機器を収納する。このインナーフレームａをラック本体Ａ内に入れる場合、図７に示すように、ラック本体Ａ内部の四隅に固定された各支持部品Ｍ１の各支持フレームＭ１３を各支持フレームＭ１３の取付部Ｍ１３１の面上に図示されない専用の治具差し込んで各防振ゴムＭ１２を圧縮する方向に加圧して押し広げた状態から、インナーフレームａを各支持部品Ｍ１の内側に挿入する。このインナーフレームａの挿入後、専用の治具による各支持フレームＭ１３の加圧の解除、取り外しにより各支持フレームＭ１３を弾性復帰させることにより、インナーフレームａの各コーナーの両側が各支持フレームＭ１３の各支持部Ｍ１３２に圧接され、インナーフレームａに組み込まれた各種の機器は各支持部品Ｍ１によりラック本体Ａの内部で宙に浮いた状態に弾性的に支持される。なお、ラック本体Ａの中からインナーフレームａを取り出す場合は、上記の動作が逆になる。
【００２９】
このようにしてラック本体Ａ内に各種の機器を収納したら、図６に示すように、ラック本体Ａの正面及び背面に、正面及び背面の各蓋Ｂ１、Ｂ２を合わせ、図１に示すように、各蓋Ｂ１、Ｂ２の蓋枠構成フレーム７２に蓋ロック部材８を装着し、ラック本体Ａの枠構成フレーム２に係合させてロックし、ラック本体Ａと各蓋Ｂ１、Ｂ２とを結合する。
この場合、図６に示すように、蓋Ｂ１、Ｂ２にガイド凸起Ｇ２を有し、ラック本体Ａのコーナーフレーム１の内面にガイド面Ｇ１が設けられているので、これらのガイド凸起Ｇ２、ガイド面Ｇ１の案内及び支持により、正面及び背面の各蓋Ｂ１、Ｂ２をそれぞれラック本体Ａの正面及び背面に簡単かつ確実に位置合わせし、連接した状態に保持することができる。
また、この場合、４個の蓋ロック部材８が蓋枠構成フレーム７２の４隅近傍に形成されたロック部材挿通部に挿通固定される。これらの蓋ロック部材８はそれぞれ、（図８参照）外側の円筒部８１の中径部８１２がロック部材挿通部に通されて、この中径部８１２に六角ナット８０がワッシャーを介して螺合され、外側の円筒部８１の大径部８１１と六角ナット８０とによりロック部材挿通部の周囲を挟持して取り付けられる。
そして、ハンドル８３の初期位置（この場合、駆動軸８４が外側の円筒部８１から最大限に突出し、係止部８５がラック本体Ａ側の被係合部に対して離脱されており、また、ハンドル８３はハンドルの軸８３２が内側の円筒部８２の溝形の中空部８２３及び外側の円筒部８１の一方の溝８１６を通して外側の円筒部８１の軸方向に対して直角に倒伏されて折り畳まれた状態）から、ハンドル８３を引き起こし、ハンドルの軸８３２を作動連結位置にして、このハンドル８３を所定の一方向に一定の角度（この場合、略９０°）まで回転操作すると、外側の円筒部８１内で内側の円筒部８２がハンドル８３と一体に回転され、この蓋ロック部材８のガイド機構８６の作用により、内側の円筒部８２内で駆動軸８４が同方向に回転するとともに係止部８５が同方向に回動して枠構成フレーム２に設けられた所定の被係合部に係合し、ハンドル８３をさらに同方向に一定の角度（この場合、略３０°）まで回転すると、外側の円筒部８１内で内側の円筒部８２がハンドル８３と一体に回転され、この蓋ロック部材８のガイド機構８６の作用により、内側の円筒部８２内で駆動軸８４が後退運動するとともに係止部８５が同方向に移動して枠構成フレーム２と蓋枠構成フレーム７２とを相互に引き寄せる方向に加圧され、各枠構成フレーム２、７２が圧接された状態で、ラック本体Ａと蓋Ｂ１、Ｂ２がロックされる。このようにしてラック本体Ａと蓋Ｂ１、Ｂ２をロック状態にすると、内側の円筒部８２の溝形の中空部８２３の外周部開口８２４と外側の円筒部８１の大径部８１１の一方の溝８１６が一致して連通し、ハンドルの軸８３２が直角に回動可能となり、ハンドル８３をこの中空部８２３及び溝８１６に向けて倒し、ハンドルの軸８３２をこの中空部８２３及び溝８１６を通して大径部８１１の軸方向に対して直角に倒伏して、作動連結解除位置にすると、この中空部８２３及び溝８１６と軸８３２との係合によりハンドル８３の回転方向の動きが規制されてハンドル８３がロックされ、これにより蓋ロック部材８の緩みが防止されて、ラック本体Ａと蓋Ｂ１、Ｂ２との確実なロック状態が得られる。また、この場合、ハンドル８３を倒すことで、このハンドル８３が蓋Ｂ１、Ｂ２の外周縁部をなす蓋枠構成フレーム７２の外側縁部の高さ内に収められる。
なお、この中空部８２３及び溝８１６を通して倒伏されたハンドル８３を反対に９０°回動して作動連結位置に引き起こすと、この中空部８２３及び溝８１６と軸８３２との係合が外れてハンドル８３のロックが解除される。そして、ハンドル８３を他方向、つまり反対方向に一定の角度（この場合、略３０°）までに回転すると、外側の円筒部８１内で内側の円筒部８２がハンドル８３と一体に回転され、この蓋ロック部材８のガイド機構８６の作用により、内側の円筒部８２内で駆動軸８４が前進運動するとともに係止部８５が同方向に移動して枠構成フレーム２と蓋枠構成フレーム７２とを相互に引き寄せる方向の加圧力が解除されて、各枠構成フレーム２、７２間の接触が緩められ、ハンドル８３をさらに同方向に一定の角度（この場合、略９０°）まで回転すると、外側の円筒部８１内で内側の円筒部８２がハンドル８３と一体に回転され、この蓋ロック部材８のガイド機構８６の作用により、内側の円筒部８２内で駆動軸８４が同方向に回転するとともに係止部８５が同方向に回動して枠構成フレーム２に設けられた所定の被係合部に対する係合が解除され、ラック本体Ａと蓋Ｂ１、Ｂ２とのロック状態が解除される。
【００３０】
このように各種の機器を収納したラックＲ１は、図１に示すように、このままの状態で設置してもよく、このままの状態から搬送することもできる。また、複数のラックＲ１を上下方向に積み重ねたり、あるいは左右方向に並置したり、又は上下左右に組み合わせて設置したりすることもできる。
このラックＲ１の場合、既述のとおり、各コーナーフレーム１が、箱形の各コーナーＣを傾斜面とするコーナー中央部１０１、コーナー中央部１０１の一端から箱形の幅方向に延び、枠構成フレーム２と連結される幅方向延長部１０２、コーナー中央部１０１の他端から箱形の高さ方向に延び、枠構成フレーム２と連結される高さ方向延長部１０３、及びコーナー中央部１０１の奥行側縁部から奥行方向に延び、奥行フレーム３と連結される奥行方向延長部１０４を有し、これらコーナーフレーム１のコーナー中央部１０１と、正面側の各コーナーフレーム１のコーナー中央部１０１と背面側の各コーナーフレーム１のコーナー中央部１０１との間に連結される各奥行フレーム３により、箱形全体が断面略８角形に構成されるので、複数のラックＲ１を一列に又は複列に並べたり多段的に積み重ねたりする場合に、隣り合う各ラックＲ１間の隙間が小さくて済み、このため、各ラックＲ１が隣接しやすく、複数のラックＲ１を並べる場合でも積み重ねる場合でも作業を容易に行うことができる。
また、このラックＲ１の場合、各コーナーフレーム１、各枠構成フレーム２、各奥行フレーム３、各パネル４、各蓋コーナーフレーム７１、各蓋枠構成フレーム７２、各蓋パネル７３がアルミニウム材料（アルミニウム合金）により形成されるので、ラックＲ１全体に軽量で、十分な強度を持たせることができ、さらに、各コーナーフレーム１の幅方向延長部１０２と枠構成フレーム２、高さ方向延長部１０３と枠構成フレーム２、奥行方向延長部１０４と奥行フレーム３がそれぞれ、スプリングピン２５２、３５２、取付ねじ２５１、３５１及びナット３５０を介して連結されるので、ラックＲ１に大きな衝撃が加えられた場合でも、ラックＲ１全体の変形を防止することができる。したがって、ラックＲ１の搬送の際に、複数のラックＲ１を車両や航空機などの輸送手段に積み重ねて搭載しても、下のラックＲ１が上のラックＲ１の重みで変形してラックＲ１内の機器を損傷させる恐れかなく、また、これら各種の機器を収納したラックＲ１を所定の設置場所に所要のレイアウトで積み上げても、同様に、下のラックＲ１が上のラックＲ１の重みで変形してラックＲ１内の機器を損傷させる恐れもなく、各種の機器をラックＲ１ごと自由なレイアウトで安定的に確実に段積み配置することができる。
【００３１】
また、このラックＲ１を設置面に設置する場合、図１１に示すように、ラック本体Ａの下面側の各奥行フレーム３の外側の面に前後に１つずつ脚３７を取り付ければ、これらの脚３７を使って設置面に設置することができる。この場合、ラック本体Ａの各奥行フレーム３の外側の面にこの面の両側部に沿ってそれぞれ内方に向けて断面略Ｌ字形に突出するフランジ３１１が設けられて、外側の面に溝３１が形成され、この奥行フレーム３の外側の面に各種の付属部品をねじ式の取付部品３Ｐにより着脱可能に取り付けるようにしているので、脚３７を簡易に取り付けることができ、しかもこれらの脚３７がラックＲ１のパネル４面から外側に大きく突出することがないので、ラックＲ１の搬送や設置の際に邪魔になることがない。また、この場合、各脚３７の脚部本体３７１の下端面にシリコンラバー３７５が被着されているので、各脚３７の滑りが防止され、床面にホールドしやすい。
また、このラックＲ１の場合、ラック本体Ａに脚３７を取り付けていても、図２０に示すように、各ラックＲ１を上下方向に積み重ねることができる。この場合、各ラックＲ１の左右両側の各脚３７がハの字形になって各ラック本体Ａの各コーナーＣ、すなわち、各奥行フレーム３の斜めの外側の面に沿って当接されているので、これがずれ止めになって、各ラックＲ１が安定される。また、この場合、各脚３７の各奥行フレーム３の斜めの外側の面に当接する面にポリアセタール樹脂（ＰＯＭ）などのエンジニアリングプラスチック３７６が付設されて、滑りをよくしてあるので、各脚３７の内側面がラックＲ１の各フレームや各パネルに当たっても傷つけにくくなっている。さらに、この場合、各脚３７が前後方向にずれるようなことがあっても、各ラック本体Ａのコーナーフレーム１により各脚３７の前端方向又は後端方向の動きが規制されるので、各ラックＲ１間のずれは確実に防止される。
【００３２】
さらに、このラックＲ１を搬送する場合、図１１に示すように、ラック本体Ａの上面側の各奥行フレーム３の外側の面に前後に１つずつ取っ手３６を取り付ければ、これらの取っ手３６により、ラックＲ１の上げ下ろし、搬送を容易に行うことができる。この場合、ラック本体Ａの各奥行フレーム３の外側の面にこの面の両側部に沿ってそれぞれ内方に向けて断面略Ｌ字形に突出するフランジ３１１が設けられて、外側の面に溝３１が形成され、この奥行フレーム３の外側の面に各種の付属部品をねじ式の取付部品３Ｐにより着脱可能に取り付けるようにしているので、取っ手３６を簡易に取り付けることができ、しかもこれらの取っ手３６がラックＲ１のパネル４面から外側に大きく突出することがないので、ラックＲ１の搬送や設置の際に邪魔になることがない。
【００３３】
また、このラックＲ１では、上下に積み重ねられる複数のラックＲ１間を固定するためにロック装置３８を備えており、このロック装置３８は、ラックＲ１が上下に積み重ねられた状態において、上面側の各奥行フレーム３の外側の面の前後にそれぞれ所定の間隔をあけて取り付けられる２つの取っ手台座３６３、及び各２つの取っ手台座３６３のうち奥側の取っ手台座３６３ａで手前側の取っ手台座３６３ｂに対向する面に形成される係合凹部３６４と、下面側の各奥行フレーム３の外側の面の前後にそれぞれ上面側の各奥行フレーム３の前後の各取っ手台座３６３の間で各奥側の取っ手台座３６３ａに連接可能に取り付けられる脚３７、各脚３７の各奥側の取っ手台座３６３ａに対向する面に形成され、各奥側の取っ手台座３６３ａの係合凹部３６４に係合可能な係止凸部３７７、及び各手前側の脚３７の各前側の取っ手３６の各手前側の取っ手台座３６３ｂに対向する面に垂直方向に回動可能に取り付けられ、各手前側の脚３７と各手前側の取っ手台座３６３ｂとの間に係脱可能なロックレバー３８３とにより構成されるので、複数のラックＲ１を上下に積み重ねる際に、下のラックＲ１上で上のラックＲ１を手前側から奥側に向けて少しスライドさせるようにして重ね合わせることで、下のラックＲ１の上面側の各奥行フレーム３の外側の面に取り付けられた各取っ手３６の奥側の取っ手台座３６の係合凹部３６４と、上のラックＲ１の下面側の各奥行フレーム３の外側の面に取り付けられた各脚３７の係止凸部３７７部が係合し、この状態から、上のラック３の下面側の各奥行フレーム３の外側の面に取り付けられた各手前側の脚３７と下のラックＲ１の上面側の各奥行フレーム３の外側の面に取り付けられた各前側の取っ手３６の各手前側の取っ手台座３６３との間にロックレバー３８を係合させることで、上下の各ラックＲ１の動きが規制され、上下の各ラックＲ１間を確実に固定することができる。
【００３４】
このようにこのラックＲ１では各種の機器を収納して自由なレイアウトで多段的に積み重ねることができるので、キャビネット型のラックとして利用することができるとともに、これらの機器を屋内で移動したり屋外へ移動したりするような場合でも、各機器をラックＲ１に収納した状態でラックＲ１ごと容易に搬送、設置することができる。また、同一の設置場所においても、これらの機器を一つのシステムとしてより使いやすいレイアウトに組み立てし直したり機器の変更又は追加により全体又は一部の機器のレイアウトを変更したりしようとする場合に、各機器をラックＲ１ごと出し入れして、所望のレイアウトを容易に作ることができる。
【００３５】
また、このラックＲ１には、既述とおり、図１５に示すラック移動用のラック専用台車５が付属されており、このラック専用台車５は、各車輪５７が台フレーム５４の下方に突出されて転動可能に、また、台フレーム５４内に折り畳まれて収納可能に取り付けられているので、ラック専用台車５を使ってラックＲ１を搬送する場合は、各車輪５７を台フレーム５４の下方に突出させ、ラック専用台車５を使用しない場合は、各車輪５７を台フレーム５４内に折り畳み収納する。
ラック専用台車５をラックＲ１の搬送に使用する場合、図１６、図１７に示すように、各ストッパー６０を解除し、各支持部材５６を垂直方向に回動して、各支持部材５６を垂直位置で各ストッパー６０により垂直位置に固定する。この場合、ストッパー６０はねじ式で、各支持部材５６のねじ穴６１から各水平方向ガイド５９のねじ穴６３にねじ６４が通されているので、まず、このねじ６４を取り外す。そして、各支持部材５６を垂直方向に回動して、各支持部材５６を垂直位置で、各支持部材５６のねじ穴６１から各垂直方向ガイド５８のねじ穴６２に共通に使用するねじ６４を通して締結することにより固定して、各支持部材５６先端の各車輪５７を台フレーム５４の下方に向けて突出し固定する。これにより、ラック専用台車５は走向可能状態となる。そして、このラック専用台車５上に１個又は複数個のラックＲ１を積み重ねて載せ、ラックＲ１を搬送方向に押せば、ラック専用台車５の各車輪５７はラックＲ１が押された方向に向けて転動し、ラックＲ１を容易に移動することができる。
また、ラック専用台車５を使用しない場合は、各支持部材５６のねじ穴６１から各垂直方向ガイド５８のねじ穴６２に締結されているねじ６４を取り外した後、各支持部材５６を水平方向に回動して、各支持部材５６を水平位置で、各支持部材５６のねじ穴６１から各水平方向ガイド５９のねじ穴６３に共通に使用するねじ６４を通して締結することにより固定して、各支持部材５６先端の各車輪５７を台フレーム５４内に折り畳み固定する。これにより、ラック専用台車５は台フレーム５４のみの外観をなす。また、このラック専用台車５の場合、各奥行フレーム５３にラック本体Ａと同様の奥行フレーム３が使用されるので、ラック本体Ａと同様に奥行フレーム５４に脚３７などの付属部品を取り付けることができる。例えば、脚３７をラック本体Ａと同様に取り付けることにより、この不使用時のラック専用台車５をラックＲ１上で手前側から奥側に向けて少しスライドさせるようにして重ね合わせることで、ラックＲ１の上面側の各奥行フレーム３の外側の面に取り付けられた各取っ手３６の奥側の取っ手台座３６３の係合凹部３６４と、このラック専用台車５の各奥行フレーム５３の外側の面に取り付けられた各脚３７の係止凸部３７７が係合し、この状態から、ラックＲ１の上面側の各奥行フレーム３の外側の面に取り付けられた取っ手３６とこのラック専用台車５の上面側の各奥行フレーム３の外側の面に取り付けられた脚３７との間にロックレバー３８３を係合させることで、ラックＲ１上に重ねたラック専用台車５を確実に固定することができる。したがって、このラック専用台車５をラックＲ１とともに車両や航空機など各種の輸送手段に載せて輸送する場合に、ラック専用台車５をラックＲ１上に積み重ねておくことができる。
なお、このラック専用台車５には、台フレーム５４のスペース５０に平板状のラック載置用のプレート５０１が収納されるので、ラックＲ１の設置面が柔らかい床などで、ラックＲ１の重量によりラックＲ１の脚３７で凹んでしまうような場合に、ラック専用台車５からラック載置用のプレート５０１を取り出して、ラックＲ１の設置面に敷設することで、設置面を保護することができる。
【００３６】
以上説明したように、この機器収納用ラックＲ１は、正面、背面に開口を有し、全体が箱形に構成されるラック本体Ａと、ラック本体Ａの正面、背面の各開口を開閉する正面、背面の蓋Ｂ１、Ｂ２とを備え、ラック本体Ａ、及び正面、背面の各蓋Ｂ１、Ｂ２に有する次の各構成により次のような効果を奏することができる。
（１）ラック本体Ａは、正面側及び背面側の各コーナーＣをなすコーナーフレーム１と、正面側及び背面側の各コーナーフレーム１間に連結されて、各コーナーフレーム１とともに正面側及び背面側の各枠Ｆ１、Ｆ２を構成する枠構成フレーム２と、正面側の各コーナーフレーム１と背面側の各コーナーフレーム１間に連結されて、正面側及び背面側の各枠Ｆ１、Ｆ２間を繋ぐ奥行フレーム３と、各コーナーフレーム１、各枠構成フレーム２及び各奥行フレーム３により囲まれた面内に取り付けられて、上下左右の各面Ｐをなすパネル４とを備え、各コーナーフレーム１は、正面側及び背面側の各コーナーＣを傾斜面とする傾斜面形状のコーナー中央部１０１、コーナー中央部１０１の一端から箱形の幅方向に延び、枠構成フレーム２と連結される幅方向延長部１０２、コーナー中央部１０１の他端から箱形の高さ方向に延び、枠構成フレーム２と連結される高さ方向延長部１０３、及びコーナー中央部１０１の奥行側縁部から奥行方向に延び、奥行フレーム３と連結される奥行方向延長部１０４を有し、各奥行フレーム３は各コーナーフレーム１の奥行方向延長部１０４に斜めに連結されて、これらコーナーフレーム１及び奥行フレーム３により、ラック本体Ａ全体が断面略８角形に構成され、正面、背面の蓋Ｂ１、Ｂ２はそれぞれ、正面、背面の各コーナーをなす蓋コーナーフレーム７１と、各蓋コーナーフレーム７１間に連結されて、各蓋コーナーフレーム７１とともに正面、背面の蓋Ｂ１、Ｂ２の枠を構成する蓋枠構成フレーム７２と、各蓋コーナーフレーム７１及び各蓋枠構成フレーム７２により囲まれた面内に取り付けられて、正面、背面の蓋Ｂ１、Ｂ２の面をなす蓋パネル７３と、正面、背面の蓋Ｂ１、Ｂ２の蓋枠構成フレーム７２に装着され、正面、背面の蓋Ｂ１、Ｂ２とラック本体Ａとを固定する蓋ロック部材８とを備え、蓋コーナーフレーム７１は、蓋Ｂ１、Ｂ２の各コーナーを傾斜面とする傾斜面形状のコーナー中央部７１１、コーナー中央部７１１の一端から蓋Ｂ１、Ｂ２の幅方向に延び、蓋枠構成フレーム７２と連結される幅方向延長部７１２、コーナー中央部７１１の他端から蓋Ｂ１、Ｂ２の高さ方向に延び、蓋枠構成フレーム７２と連結される高さ方向延長部７１３を有し、全体がラック本体Ａに対応する断面略８角形に構成されるので、ボックス型のラックＲ１として構成し、キャビネット型のラックに比べて、全体の大きさを小さくすることができ、コンピュータ、通信機器など各種の機器を屋内で移動したり屋外へ移動したりしようとする場合に、各種の機器をこのラックＲ１に収納した状態でラックＲ１ごと搬送、設置することができる。
特に、このラックＲ１の場合、ラック本体Ａが正面及び背面の蓋Ｂ１、Ｂ２とともに、断面略８角形に構成されることで、複数のラックＲ１を一列に又は複列に並べたり多段的に積み重ねたりする場合に、隣り合う各ラックＲ１間の隙間が小さくて済み、このため、各ラックＲ１が隣接しやすく、複数のラックＲ１を並べる場合でも積み重ねる場合でも作業を容易に行うことができる。
また、この場合、ラックＲ１は、ラック本体Ａの各コーナーフレーム１、各枠構成フレーム２、各奥行フレーム３、各パネル４、各蓋Ｂ１、Ｂ２の各蓋コーナーフレーム７１、各蓋枠構成フレーム７２、各蓋パネル７３がアルミニウム材料（アルミニウム合金）により形成されて、ラック１全体に軽量で、十分な強度を持たせることができ、さらに、ラック本体Ａの各コーナーフレーム１の幅方向延長部１０２と枠構成フレーム２、高さ方向延長部２０３と枠構成フレーム２、奥行方向延長部１０４と奥行フレーム３はそれぞれ、スプリングピン２５２、３５２、取付ねじ２５１、３５１及びナット３５０を介して連結され、各蓋Ｂ１、Ｂ２の各蓋コーナーフレーム７２の幅方向延長部７１２と蓋枠構成フレーム７２、高さ方向延長部７１３と蓋枠構成フレーム７２はそれぞれ、スプリングピン、取付ねじ及びナットを介して連結されるので、ラックＲ１に大きな衝撃が加えられた場合でも、ラックＲ１全体の変形を防止することができる。したがって、ラックＲ１の搬送の際に、複数のラックＲ１を車両や航空機などの輸送手段に積み重ねて搭載しても、下のラックＲ１が上のラックＲ１の重みで変形してラックＲ１内の機器を損傷させる恐れかなく、また、これら各種の機器を収納したラックＲ１を所定の設置場所に所要のレイアウトで積み上げても、同様に、下のラックＲ１が上のラックＲ１の重みで変形してラックＲ１内の機器を損傷させる恐れもなく、各種の機器をラックＲ１ごと自由なレイアウトで安定的に確実に段積み配置することができる。
このようにこのラックＲ１では各種の機器を収納して自由なレイアウトで多段的に積み重ねることができるので、キャビネット型のラックとして利用することができるとともに、これらの機器を屋内で移動したり屋外へ移動したりするような場合でも、各機器をラックＲ１に収納した状態でラックＲ１ごと容易に搬送、設置することができる。また、同一の設置場所においても、これらの機器を一つのシステムとしてより使いやすいレイアウトに組み立てし直したり機器の変更又は追加により全体又は一部の機器のレイアウトを変更したりしようとする場合に、各機器をラックごと出し入れして、所望のレイアウトを容易に作ることができる。
（２）ラック本体Ａの各奥行フレーム３に外側の面の両側部に沿ってそれぞれ内方に向けて断面略Ｌ字形に突出するフランジ３１１が設けられて、外側の面に溝３１が形成され、この外側の面に、各種の付属部品が、奥行フレーム３の各フランジ３１１の内面間に係合可能な固定部材３３と、各種の付属部品に一体的に設けられ、奥行フレーム３の各フランジ３１１の外面間に跨って設置可能な取付部材３４とをそれぞれ各フランジ４１１に圧接可能にねじ３５で締め付けるねじ式の取付部品３Ｐにより着脱可能に取り付けられるので、取っ手３６や脚３７など各種の付属部品を簡易に取り付けることができ、しかも付属部品がラックＲ１のパネル面から外側に大きく突出することがなく、ラックＲ１の搬送や設置の際に邪魔になることがない。
（３）取付部品３Ｐは、奥行フレーム３の外側の面の各フランジ３１１間の開口幅より小さい幅で、かつ各フランジ３１１間の開口幅より大きく溝３１の底部側の幅と略同じか少し小さい長さを有し、各フランジ３１１の内面間に係脱可能な平板に形成され、当該平板の長さ方向の中間部でフランジ３１１の開口に対向する位置に表側の平面から裏側の平面に向けて貫通するねじ穴３３０を有する固定部材３３と、各種の付属部品側に一体的に、奥行フレーム３の各フランジ３３１の外面間に跨って設置可能な各種の形状に形成され、当該各種の形状のフランジ３３１間の開口に対向する位置に固定部材３３のねじ穴３３０に対応して表側から裏側に向けて貫通するねじ穴３４０を有する取付部材３４と、取付部材３４のねじ穴３４０から各フランジ３３１間の開口を通して固定部材３３のねじ穴３３０に貫通して螺合されるねじ３５とを備え、固定部材３３の幅方向を奥行フレーム３の各フランジ３３１間に合わせ、固定部材３３を各フランジ３１１間の開口を通して、溝３１の底面側へ挿入した後、固定部材３３を回転し、固定部材３３の長さ方向を溝３１の幅方向に向けて各フランジ３１１の内面に係合可能に配置し、この状態で、取付部材３４を奥行フレーム３の各フランジ３１１の外面間に跨って設置し、取付部材３４及び固定部材３３の各ねじ穴３４０、３３０間に各フランジ３１１間の開口を通してねじ３５を挿通し締め込むことにより、固定部材３３と取付部材３４をそれぞれ、各フランジ３１１に内側及び外側から圧接させて、各種の付属部品を奥行フレーム３の外側の面上に固定する形式に構成されるので、ラック本体Ａの各コーナーＣの奥行フレーム３の外側の面に、各種の付属部品を簡易かつ確実に取り付けることができる。
この場合、ラック本体Ａの下面側の各奥行フレーム３の外側の面に取り付けられる付属部品として脚３７を備え、脚３７に取付部材３４が一体的に形成され、脚３７は、固定部材３３、取付部材３４及びねじ３５を介して下面側の奥行フレーム３の外側の面に固定されて取り付けられるので、ラック本体Ａの下面側の奥行フレーム３の外側の面に、脚３７を簡易かつ確実に取り付けることができる。この脚３７を使ってラックＲ１を設置面に設置することができる。この設置に当たり、脚３７の下端面にシリコンラバー３７５が被着されているので、床面などで脚３７の滑りが防止され、優れたホールド性がある。
また、この脚３７は、下面側の奥行フレーム３から当該下面側の奥行フレーム３の側方に突出することなしに下方に向けて延びる脚部本体３７１と、脚部本体３７１の上面側に形成され、下面側の奥行フレーム３を支持可能な斜めのフレーム支持部３７２、及びこのフレーム支持部３７２の下端から水平方向に向けて延び、下面のパネル４の縁部付近を支持可能なパネル支持部３７３と、脚部本体３７１の内側でパネル支持部３７３と脚部本体３７１の下部との間に形成され、上面側の奥行フレーム３に当接可能な斜めのフレーム係合部３７４とを有するので、脚３７がラックＲ１のパネル４面から外側に大きく突出することがなく、ラックＲ１の搬送や設置の際に邪魔になることがなく、また、ラック本体Ａに脚３７を取り付けていても、各ラックＲ１を上下方向に積み重ねることができ、この場合、各ラックＲ１の左右両側の各脚３７がハの字形になって各ラック本体Ａの各奥行フレーム３の斜めの外側の面に沿って当接されるので、これがずれ止めになって、各ラックＲ１を安定させることができる。また、この場合、各脚３７の内側面にポリアセタール樹脂（ＰＯＭ）などのエンジニアリングプラスチック３７６が付設されて、滑りをよくしてあるので、脚３７の内側面が各ラックＲ１の各フレームや各パネルに当たっても傷つけにくい利点がある。
また、この場合、ラック本体Ａの上面側の奥行フレーム３の外側の面に取り付けられる付属部品として取っ手３６を備え、取っ手３６の取っ手台座３６３に取付部材３４が一体的に形成され、取っ手台座３６３は、固定部材３３、取付部材３４及びねじ３５を介して上面側の奥行フレーム３の外側の面に固定されて取り付けられるので、ラック本体Ａの上面側の奥行フレーム３の外側の面に、取っ手３６を簡易かつ確実に取り付けることができる。
しかも、この取っ手３６は、略コ字形又は略Ｕ字形をなし、両端に取付軸３６２を有する取っ手本体３６１と、上面側の奥行フレーム３の側方に突出することなしにこの奥行きフレーム３上に設置可能に形成され、取っ手本体３６１の各取付軸３６２を軸支する一対の取っ手台座３６３とを有し、取っ手台座３６３は、両側面が略三角形の面をなし、各フランジ３１１間に跨って設置可能な三角柱に形成されるので、取っ手３６がラックＲ１のパネル４面から外側に大きく突出することがなく、ラックＲ１の搬送や設置の際に邪魔になることがない。
さらに、この取っ手３６は一方の取付軸３６２が他方の取付軸３６２に対して所定の角度を付け偏芯されて、取っ手台座３６３に軸支されるので、取っ手３６の回動を適度に規制してばたつきを防止することができる。
（４）上下に積み重ねられる複数のラックＲ１間を固定するためにロック装置３８を備え、このロック装置３８は、ラックＲ１が上下に積み重ねられた状態において、上面側の各奥行フレーム３の外側の面の前後にそれぞれ所定の間隔をあけて取り付けられる２つの取っ手台座３６３、及び各２つの取っ手台座３６３のうち奥側の取っ手台座３６３ａで手前側の取っ手台座３６３ｂに対向する面に形成される係合凹部３６４と、下面側の各奥行フレーム３の外側の面の前後にそれぞれ上面側の各奥行フレーム３の前後の各取っ手台座３６３の間で各奥側の取っ手台座３６３ａに連接可能に取り付けられる脚３７、各脚３７の各奥側の取っ手台座３６３ａに対向する面に形成され、各奥側の取っ手台座３６３ａの係合凹部３６４に係合可能な係止凸部３７７、及び各手前側の脚３７の各前側の取っ手３６の各手前側の取っ手台座３６３ｂに対向する面に垂直方向に回動可能に取り付けられ、各手前側の脚３７と各手前側の取っ手台座３６３ｂとの間に係脱可能なロックレバー３８３とにより構成されるので、複数のラックＲ１を上下に積み重ねる際に、下のラックＲ１上で上のラックＲ１を手前側から奥側に向けて少しスライドさせるようにして重ね合わせることで、下のラックＲ１の上面側の各奥行フレーム３の外側の面に取り付けられた各取っ手３６の奥側の取っ手台座３６の係合凹部３６４と、上のラックＲ１の下面側の各奥行フレーム３の外側の面に取り付けられた各脚３７の係止凸部３７７部が係合し、この状態から、上のラック３の下面側の各奥行フレーム３の外側の面に取り付けられた各手前側の脚３７と下のラックＲ１の上面側の各奥行フレーム３の外側の面に取り付けられた各前側の取っ手３６の各手前側の取っ手台座３６３との間にロックレバー３８を係合させることで、上下の各ラックＲ１の動きが規制され、上下の各ラックＲ１間を確実に固定することができる。
（５）ラック本体Ａは２重構造をなし、ラック本体Ａ内部に各種の機器を収容するためのインナーフレームａを備え、インナーフレームａはラック本体Ａ内部に防振ゴムＭ１２を介して設置された支持フレームＭ１３に弾性的に支持されるので、ラック本体Ａに大きな衝撃が加えられた場合でも、ラック本体Ａ内部にインナーフレームａを介して収納した各種の機器をその衝撃から確実に保護することができる。
（６）蓋ロック部材８は、外側の円筒部８１と、外側の円筒部８１内に回転可能に嵌挿される内側の円筒部８２、及び内側の円筒部８２の基端部に当該円筒部の軸方向に対して直角方向に回動可能に取り付けられ、外側の円筒部８１内で内側の円筒部８２を回転操作するためのハンドル８３と、内側の円筒部８２内に回転可能にかつ進退可能に挿通され、外側及び内側の各円筒部８１、８２の先端から突出する駆動軸８４、及び駆動軸８４の先端側に当該軸方向に対して直角方向に向けて突設され、ラック本体Ａ側の所定の被係合部に係止可能な係止部８５と、外側の円筒部８１及び内側の円筒部８２と駆動軸８４との間に形成され、内側の円筒部８２の一方向の回転運動により、駆動軸８４を内側の円筒部８２の回転方向に所定の角度だけ回転案内し、駆動軸８４が当該回転方向に所定の角度だけ回転した地点で駆動軸８４を内側の円筒部８２の軸上を後退方向に移動案内し、内側の円筒部８２の他方向の回転運動により、駆動軸８４を内側の円筒部８２の軸上を前進方向に移動案内し、駆動軸８４が内側の円筒部８２内を所定の距離だけ前進移動した地点で駆動軸８４を内側の円筒部８２の回転方向に所定の角度だけ回転案内するガイド機構８６とを備え、外側の円筒部８１が蓋枠構成フレーム７２に挿着されて、ハンドル８３を所定の一方向に９０°回転操作することにより、係止部８５をラック本体Ａ側の所定の被係合部に対して係合し、ハンドル８３をさらに所定の一方向に３０°回転操作することにより、枠構成フレーム２と蓋枠構成フレーム７２とを相互に引き寄せる方向に圧接した状態にロックするようにしたので、ラック本体Ａと蓋Ｂ１、Ｂ２とを簡単かつ確実に、しかも強固に固定することができ、また、ハンドル８３の他方向への反対の回転操作により、係止部８５のラック本体Ａ側の被係合部に対する係合を解除できるので、ラック本体Ａからの蓋Ｂ１、Ｂ２の取り外しもまた簡単かつ確実に行うことができる。また、ハンドル８３を９０°倒し、外側、内側の各円筒部８１、８２の各溝を通して折り畳むことにより、ハンドル８３をロックすることができ、ハンドル８３に振動などを受けることがあってもハンドル８３の回転を防止して、ラック本体Ａと蓋Ｂ１、Ｂ２との間のロックをより確実に保持することができる。さらに、ハンドル８３を倒すことで、このハンドル８３を蓋Ｂ１、Ｂ２の外周縁部の高さ内に収めることができるので、ラックＲ１のハンドル８３が他のラックやラック周囲の壁面などに衝突することがない。
（７）ラック移動用のラック専用台車５を備え、このラック専用台車５は、正面側及び背面側の各コーナーをなすコーナーフレーム５１と、正面側及び背面側の各コーナーフレーム５１間に連結されて、各コーナーフレーム５１とともに正面側及び背面側の各枠を構成する枠構成フレーム５２と、正面側の各コーナーフレーム５１と背面側の各コーナーフレーム５１間に連結されて、正面側及び背面側の各枠間を繋ぐ奥行フレーム５３とを有する、ラックＲ１を載せるための台フレーム５４と、台フレーム５４内の各コーナーにヒンジ部材５５を介して垂直方向に回動可能に取り付けられる支持部材５６と、各支持部材５６の回動端に軸受５７を介して軸支される車輪５７０と、台フレーム５４内に設置され、各支持部材５６を垂直位置で回動を規制し、各車輪５７を台フレーム５４の下方に突出案内する垂直方向ガイド５８、及び各支持部材５６を水平位置で回動を規制し、各車輪５７を台フレーム５４内に収納案内する水平方向ガイド５９と、各支持部材５６を垂直位置で垂直方向ガイド５８に固定し、水平位置で水平方向ガイド５９に固定するストッパー６０とを備え、車輪５７は台フレーム５４の下方に突出されて転動可能に、また、台フレーム５４内に折り畳まれて収納可能に構成されるので、各車輪５７を台フレーム５４の下方に突出させて、ラック専用台車５として使用すれば、１個又は複数個のラックＲ１を容易に搬送することができ、また、このラック専用台車５を使用しないときは、各車輪５７を台フレーム５４内に折り畳み収納し、台フレーム５４のみの外観とすることで、このラック専用台車５を邪魔にならないところに重ねて置いておくことができる。また、このラック専用台車５の場合、各奥行フレーム５３にラック本体Ａと同様の奥行フレーム３が使用されるため、ラック本体Ａと同様に奥行フレーム５３に脚３７などの付属部品を取り付けることができ、例えば、脚３７をラック本体Ａと同様に取り付けることにより、この不使用時のラック専用台車５をラックＲ１上で手前側から奥側に向けて少しスライドさせるようにして重ね合わせることで、ラックＲ１の上面側の各奥行フレーム３の外側の面に取り付けられた各取っ手３６の奥側の取っ手台座３６３の係合凹部３６４と、このラック専用台車５の各奥行フレーム５３の外側の面に取り付けられた各脚３７の係止凸部３７７が係合し、この状態から、ラックＲ１の上面側の各奥行フレーム３の外側の面に取り付けられた取っ手３６とこのラック専用台車５の各奥行フレーム３の外側の面に取り付けられた脚３７との間にロックレバー３８３を係合させることで、ラックＲ１上に重ねたラック専用台車５を確実に固定することができる。したがって、このラック専用台車５をラックＲ１とともに車両や航空機など各種の輸送手段に載せて輸送する場合に、ラック専用台車５をラック上Ｒ１に積み重ねておくことができる。
なお、このラック専用台車５には、台フレーム５４のスペース５０に平板状のラック載置用のプレート５０１が収納されるので、ラックＲ１の設置面が柔らかい床などで、ラックＲ１の重量によりラックＲ１の脚３７で凹んでしまうような場合に、ラック専用台車５からラック載置用のプレート５０１を取り出して、ラックＲ１の設置面に敷設することで、設置面を保護することができる。
（８）以上により、このラックＲ１によれば、屋内、屋外を問わず、コンピュータ、通信機器など各種の機器の収納、搬送及び設置を簡単かつ確実に行うことができる。
【符号の説明】
【００３７】
Ｒ１  機器収納用ラック
Ａ  ラック本体
ａ  インナーフレーム
ａ１  コーナーフレーム
ａ２  枠構成フレーム
ａ３  奥行フレーム
Ｍ  支持装置
Ｍ１  支持部品
Ｍ１１  ベースフレーム
Ｍ１１１  ベース部
Ｍ１１２  固定部
Ｍ１２  防振ゴム
Ｍ１３  支持フレーム
Ｍ１３１  取付部
Ｍ１３２  支持部
Ｂ１  正面の蓋
Ｂ２  背面の蓋
Ｃ  コーナー
Ｆ１  正面側の枠
Ｆ２  背面側の枠
Ｓ  奥行部
Ｐ  面
１  コーナーフレーム
１０１  コーナー中央部
１０２  幅方向延長部
１０３  高さ方向延長部
１０４  奥行方向延長部
１１４  凸状部
１２  連結ブロック
１２１  ねじ挿通部
１２２  スプリングピン挿通部
１２３  ガイドブロック（ガイド凸部）
１２４  凸状部
１３  連結ブロック
１３１  ねじ挿通部
１３２  スプリングピン挿通部
１３３  ガイドブロック（ガイド凸部）
１３４  凸状部
１４  連結ブロック
１４０  連結短ブロック
１４１  ねじ挿通部
１４２  スプリングピン挿通部
１４３  ガイドブロック（ガイド凸部）
１５１、１５２  溝
Ｇ１  ガイド面
２  枠構成フレーム
２０１  ねじ挿通部
２０２  スプリングピン挿通部
２０３  ガイド溝
２０４  凸状部
２０５  溝
２５１  取付ねじ
２５２  スプリングピン
３  奥行フレーム
３１  溝
３１１  フランジ
３２１  部品取付溝
３２２  取付部材
３２３  溝
３Ｐ  取付部品
３３  固定部材
３３０  ねじ穴
３４  取付部材
３４０  ねじ穴
３５  ねじ
３５０  ナット
３５１  取付ねじ
３５２  スプリングピン
３６  取っ手
３６０  グリップカバー
３６１  取っ手本体
３６２  取付軸
３６３  取付台座
３６４  係合凹部
３７  脚
３７１  脚部本体
３７２  フレーム支持部
３７３  パネル支持部
３７４  フレーム係合部
３７５  シリコンラバー
３７６  エンジニアリングプラスチック
３７７  係止凸部
３８  ロック装置
３８１  固定側ロック部材
３８２  作動側ロック部材
３８３  ロックレバー
３９  ボールプランジャー
４  パネル
５  ラック専用台車
５０  スペース
５０１  プレート
５１  コーナーフレーム
５２  枠構成フレーム
５３  奥行フレーム
５４  台フレーム
５５  ヒンジ部材
５６  支持部材
５７  軸受
５７０  車輪
５８  垂直方向ガイド
５９  水平方向ガイド
６０  ストッパー
６１  ねじ穴
６２  ねじ穴
６３  ねじ穴
６４  ねじ
７１  蓋コーナーフレーム
７１１  コーナー中央部
７１２  幅方向延長部
７１３  高さ方向延長部
７１４  凸状部
７１５  溝
７２  蓋枠構成フレーム
７２４  凸状部
７２５  溝
７２６  凹状部
７３  蓋パネル
７Ｃ  カバー
Ｇ２  ガイド凸起
８  蓋ロック部材
８０  ナット
８１  外側の円筒部
８１１  大径部
８１２  中径部
８１３  小径部
８１４  開口
８１５  底部開口
８１６  溝
８１７  開口
８１８  開口
８１９ａ  回転方向ガイド
８１９ｂ  進退方向ガイド
８２  内側の円筒部
８２１  大径部
８２２小径部
８２３  中空部
８２４  中空部の外周部開口
８２５  小さい穴
８２６  大きい穴
８２７  進退方向ガイド
８２８  溝
８２９  取付ピン
８３  ハンドル
８３１  グリップ
８３２  軸
８４  駆動軸
８４０  雌ねじ
８４１  ピン挿通部
８４２  ピン挿通部
８４３  進退方向ガイドピン
８４４  回転方向ガイドピン
８５  係止部
８５０  軸挿通部
８６  ガイド機構
【図１】
2014075497.tif 000003
【図２】
2014075497.tif 000004
【図３】
2014075497.tif 000005
【図４】
2014075497.tif 000006
【図５】
2014075497.tif 000007
【図６】
2014075497.tif 000008
【図７】
2014075497.tif 000009
【図８】
2014075497.tif 000010
【図９】
2014075497.tif 000011
【図１０】
2014075497.tif 000012
【図１１】
2014075497.tif 000013
【図１２】
2014075497.tif 000014
【図１３】
2014075497.tif 000015
【図１４】
2014075497.tif 000016
【図１５】
2014075497.tif 000017
【図１６】
2014075497.tif 000018
【図１７】
2014075497.tif 000019
【図１８】
2014075497.tif 000020
【図１９】
2014075497.tif 000021
【図２０】
2014075497.tif 000022